(57)【特許請求の範囲】
【請求項１】
複数のミッションクリティカルプッシュツートーク（ＭＣＰＴＴ）システムに関するフロア制御のための方法であって、
第１のフロア制御サーバによって、第２のフロア制御サーバからの第１のメッセージを受信するステップであって、前記第１のメッセージが、前記第１のフロア制御サーバからフロアを要求するために使用され、前記第１のフロア制御サーバが第１のＭＣＰＴＴシステムに属し、前記第２のフロア制御サーバが第２のＭＣＰＴＴシステムに属し、前記第１のメッセージが第３のＭＣＰＴＴユーザのユーザ情報を含み、前記第３のＭＣＰＴＴユーザが前記第２のＭＣＰＴＴシステムに属する、ステップと、
前記第１のフロア制御サーバによって、第１のユーザ機器（ＵＥ）からのフロア要求メッセージを受信するステップであって、第１のＭＣＰＴＴユーザが前記第１のＵＥと関連付けられており、前記第１のＭＣＰＴＴユーザが前記第１のＭＣＰＴＴシステムに属する、ステップと、
前記第１のフロア制御サーバによって、前記第１のメッセージ、前記フロア要求メッセージ、及びフロア制御ポリシーに従って、前記フロアが前記第３のＭＣＰＴＴユーザによって占有されることを決定するステップと、
前記第１のフロア制御サーバによって、第２のメッセージを前記第２のフロア制御サーバへ送信するステップであって、前記第２のメッセージが、前記フロアが前記第３のＭＣＰＴＴユーザによって占有されることを示すために使用される、ステップとを含む、方法。
【請求項２】
前記フロア制御ポリシーが、前記第１のメッセージ及び前記フロア要求メッセージの受信順序に基づいたポリシー、又はユーザ優先度に基づいたポリシーである、請求項１に記載の方法。
【請求項３】
前記ユーザ情報が、ユーザ識別子、ユーザロール、又はユーザ優先度情報のうちの少なくとも１つを含む、請求項１又は２に記載の方法。
【請求項４】
当該方法が更に、
前記第１のフロア制御サーバによって、フロア応答メッセージを前記第１のＵＥへ送信するステップであって、前記フロア応答メッセージが、フロア要求が拒否されていることを示すために使用される、ステップを含む、請求項１乃至３のうちのいずれか１項に記載の方法。
【請求項５】
複数のミッションクリティカルプッシュツートーク（ＭＣＰＴＴ）システムに関するフロア制御のための方法であって、
第２のフロア制御サーバによって、第３のユーザ機器（ＵＥ）からのフロア要求メッセージを受信するステップであって、前記第２のフロア制御サーバが第２のＭＣＰＴＴシステムに属し、第３のＭＣＰＴＴユーザが前記第３のＵＥと関連付けられており、前記第３のＭＣＰＴＴユーザが前記第２のＭＣＰＴＴシステムに属する、ステップと、
前記第２のフロア制御サーバによって、第４のＵＥからのフロア要求メッセージを受信するステップであって、第４のＭＣＰＴＴユーザが前記第４のＵＥと関連付けられており、前記第４のＭＣＰＴＴユーザが前記第２のＭＣＰＴＴシステムに属する、ステップと、
前記第２のフロア制御サーバによって、前記受信されたフロア要求メッセージ及びフロア制御ポリシーに従って、第１のメッセージを決定するステップであって、前記第１のメッセージが、第１のフロア制御サーバからフロアを要求するために使用され、前記第１のメッセージが前記第３のＭＣＰＴＴユーザのユーザ情報を含み、前記第１のフロア制御サーバが第１のＭＣＰＴＴシステムに属する、ステップと、
前記第２のフロア制御サーバによって、前記第１のメッセージを前記第１のフロア制御サーバへ送信するステップと、
前記第２のフロア制御サーバによって、前記第１のフロア制御サーバからの第２のメッセージを受信するステップであって、前記第２のメッセージが、前記フロアが前記第３のＭＣＰＴＴユーザによって占有されることを示すために使用される、ステップと、
前記第２のフロア制御サーバによって前記第２のメッセージに従って、前記フロアが前記第３のＭＣＰＴＴユーザによって占有されることを決定するステップと、
前記第２のフロア制御サーバによって、フロア応答メッセージを前記第３のＵＥへ送信するステップであって、前記フロア応答メッセージが、前記フロアが前記第３のＭＣＰＴＴユーザによって占有されることを示すために使用される、ステップとを含む、方法。
【請求項６】
前記ユーザ情報が、ユーザ識別子、ユーザロール、又はユーザ優先度情報のうちの少なくとも１つを含む、請求項５に記載の方法。
【請求項７】
前記フロア制御ポリシーが、前記フロア要求メッセージの受信順序に基づいたポリシー、又はユーザ優先度に基づいたポリシーである、請求項５又は６に記載の方法。
【請求項８】
当該方法が更に、
前記第２のフロア制御サーバによって、前記第４のＵＥからのフロア要求が拒否されていることを示すフロア応答メッセージを前記第４のＵＥへ送信するステップを含む、請求項５乃至７のうちのいずれか１項に記載の方法。
【請求項９】
複数のミッションクリティカルプッシュツートーク（ＭＣＰＴＴ）システムに関するフロア制御のための装置であって、当該装置が第１のフロア制御サーバの装置であり、当該装置が、
第２のフロア制御サーバからの第１のメッセージを受信するように構成された受信モジュールであって、前記第１のメッセージが、前記第１のフロア制御サーバからフロアを要求するために使用され、前記第１のフロア制御サーバが第１のＭＣＰＴＴシステムに属し、前記第２のフロア制御サーバが第２のＭＣＰＴＴシステムに属し、前記第１のメッセージが第３のＭＣＰＴＴユーザのユーザ情報を含み、前記第３のＭＣＰＴＴユーザが前記第２のＭＣＰＴＴシステムに属し、当該受信モジュールが更に、第１のユーザ機器（ＵＥ）からのフロア要求メッセージを受信するように構成され、第１のＭＣＰＴＴユーザが前記第１のＵＥと関連付けられており、前記第１のＭＣＰＴＴユーザが前記第１のＭＣＰＴＴシステムに属する、受信モジュールと、
前記第１のメッセージ、前記フロア要求メッセージ、及びフロア制御ポリシーに従って、前記フロアが前記第３のＭＣＰＴＴユーザによって占有されることを決定するように構成された処理モジュールと、
第２のメッセージを前記第２のフロア制御サーバへ送信するように構成された送信モジュールであって、前記第２のメッセージが、前記フロアが前記第３のＭＣＰＴＴユーザによって占有されることを示すために使用される、送信モジュールとを備える、装置。
【請求項１０】
前記フロア制御ポリシーが、前記第１のメッセージ及び前記フロア要求メッセージの受信順序に基づいたポリシー、又はユーザ優先度に基づいたポリシーである、請求項９に記載の装置。
【請求項１１】
前記ユーザ情報が、ユーザ識別子、ユーザロール、又はユーザ優先度情報のうちの少なくとも１つを含む、請求項９又は１０に記載の装置。
【請求項１２】
前記送信モジュールが更に、
フロア応答メッセージを前記第１のＵＥへ送信するように構成され、前記フロア応答メッセージが、フロア要求が拒否されていることを示すために使用される、請求項９乃至１１のうちのいずれか１項に記載の装置。
【請求項１３】
複数のミッションクリティカルプッシュツートーク（ＭＣＰＴＴ）システムに関するフロア制御のための装置であって、当該装置が第２のフロア制御サーバの装置であり、当該装置が、
第３のユーザ機器（ＵＥ）からのフロア要求メッセージを受信するように構成された受信モジュールであって、前記第２のフロア制御サーバが第２のＭＣＰＴＴシステムに属し、当該受信モジュールが更に、第４のＵＥからのフロア要求メッセージを受信するように構成され、第４のＭＣＰＴＴユーザが前記第４のＵＥと関連付けられており、前記第４のＭＣＰＴＴユーザが前記第２のＭＣＰＴＴシステムに属する、受信モジュールと、
前記受信されたフロア要求メッセージ及びフロア制御ポリシーに従って、第１のメッセージを決定するように構成された処理モジュールであって、前記第１のメッセージが、第１のフロア制御サーバからフロアを要求するために使用され、前記第１のメッセージが第３のＭＣＰＴＴユーザのユーザ情報を含み、前記第１のフロア制御サーバが第１のＭＣＰＴＴシステムに属する、処理モジュールと、
第１のメッセージを前記第１のフロア制御サーバへ送信するように構成された送信モジュールとを備え、
前記受信モジュールが更に、前記第１のフロア制御サーバからの第２のメッセージを受信するように構成され、前記第２のメッセージが、前記フロアが前記第３のＭＣＰＴＴユーザによって占有されることを示すために使用され、
前記処理モジュールが、前記第２のメッセージに従って、前記フロアが前記第３のＭＣＰＴＴユーザによって占有されることを決定するように構成され、
前記送信モジュールが更に、フロア応答メッセージを前記第３のＵＥへ送信するように構成され、前記フロア応答メッセージが、前記フロアが前記第３のＭＣＰＴＴユーザによって占有されることを示すために使用される、装置。
【請求項１４】
前記ユーザ情報が、ユーザ識別子、ユーザロール、又はユーザ優先度情報のうちの少なくとも１つを含む、請求項１３に記載の装置。
【請求項１５】
前記フロア制御ポリシーが、前記フロア要求メッセージの受信順序に基づいたポリシー、又はユーザ優先度に基づいたポリシーである、請求項１３又は１４に記載の装置。
【発明の詳細な説明】
【技術分野】
【０００１】
本発明の実施例は通信技術に関し、詳細には、複数のＭＣＰＴＴシステムに関するフロア制御のための方法、装置及びシステムに関する。
【背景技術】
【０００２】
ミッションクリティカルプッシュツートーク（ＭＣＰＴＴ，Ｍｉｓｓｉｏｎ  ｃｒｉｔｉｃａｌ  ｐｕｓｈ  ｔｏ  ｔａｌｋ）オーバＬＴＥは、ロングタームエボルーション（ＬＴＥ，Ｌｏｎｇ  Ｔｅｒｍ  Ｅｖｏｌｕｔｉｏｎ）ネットワークにおけるプッシュツートークサービス機能の実現標準を規定している。
【０００３】
従来技術では、１つのＭＣＰＴＴシステムが参加するグループセッションに関するフロア制御のための方法には、ＭＣＰＴＴシステムにおいてＭＣＰＴＴユーザ（ＭＣＰＴＴユーザとは、ユーザ機器（ＵＥ，Ｕｓｅｒ  Ｅｑｕｉｐｍｅｎｔ）の関連ユーザのことである）がフロアを占有する必要がある場合に、ＵＥによってフロア要求メッセージをＭＣＰＴＴシステム内のフロア制御サーバへ送信すること、及び、ＭＣＰＴＴユーザがフロアを占有することを許されるとフロア制御サーバが決定した場合に、ＵＥにフロアを占有するように指示すること、又はＭＣＰＴＴユーザがフロアを占有することを許されないとフロア制御サーバが決定した場合に、ＵＥがフロアを占有できないことを知らせること、が含まれる。
【０００４】
しかしながら、従来技術には、複数のＭＣＰＴＴシステムが参加するグループセッションに関するフロア制御の方法に対する実現方式が存在しない。
【発明の概要】
【０００５】
本発明の実施例は、複数のＭＣＰＴＴシステムに関するフロア制御のための方法、装置及びシステムを提供する。
【０００６】
第１の態様によれば、本発明の一実施例では、複数のミッションクリティカルプッシュツートークＭＣＰＴＴシステムに関するフロア制御のための方法を提供し、当該方法は、
第１のフロア制御サーバによって、Ｎ個のネットワーク要素デバイスによって送信された第１のメッセージを受信するステップであって、第１のメッセージが、フロアを第１のフロア制御サーバに要求するために使用され、Ｎが１以上の整数であり、Ｎ個のネットワーク要素デバイスがそれぞれＮ個のＭＣＰＴＴシステムに属する、ステップと、
第１のフロア制御サーバによって、第１のメッセージ及びフロア制御ポリシーに従って、第１のＭＣＰＴＴシステムに属するＭＣＰＴＴグループ内のＭＣＰＴＴユーザがフロアを占有することを決定するステップであって、第１のＭＣＰＴＴシステムが、第１のネットワーク要素デバイスが属するＭＣＰＴＴシステムであり、第１のネットワーク要素デバイスが、Ｎ個のネットワーク要素デバイス中のネットワーク要素デバイスである、ステップと、
第１のフロア制御サーバによって、第２のメッセージを第１のネットワーク要素デバイスへ送信するステップであって、第２のメッセージが、第１のＭＣＰＴＴシステムに属するＭＣＰＴＴグループ内のＭＣＰＴＴユーザがフロアを占有することを示すために使用される、ステップとを含む。
【０００７】
第１の態様に関連して、第１の態様の第１の可能な実現方式では、ネットワーク要素デバイスがフロア制御サーバ又はメディアサーバである。
【０００８】
第１の態様、又は第１の態様の第１の可能な実現方式に関連して、第１の態様の第２の可能な実現方式では、第１のネットワーク要素デバイスによって送信された第１のメッセージが、少なくとも１つのＭＣＰＴＴグループのグループ情報を含み、少なくとも１つのＭＣＰＴＴグループが第１のＭＣＰＴＴグループを含み、
それに応じて、第１のフロア制御サーバによって第１のメッセージ及びフロア制御ポリシーに従って、第１のＭＣＰＴＴシステムに属するＭＣＰＴＴグループ内のＭＣＰＴＴユーザがフロアを占有することを決定するステップが、
第１のフロア制御サーバによって第１のメッセージ及びフロア制御ポリシーに従って、第１のＭＣＰＴＴシステムに属する第１のＭＣＰＴＴグループ内のＭＣＰＴＴユーザがフロアを占有することを決定するステップを含み、
それに応じて、第２のメッセージが、具体的には、第１のＭＣＰＴＴシステムに属する第１のＭＣＰＴＴグループ内のＭＣＰＴＴユーザがフロアを占有することを示すために使用される。
【０００９】
第１の態様の第２の可能な実現方式に関連して、第１の態様の第３の可能な実現方式では、グループ情報が次の、グループ識別子又はグループ優先度、のうちの少なくとも１つを含む。
【００１０】
第１の態様、又は第１の態様の第１の可能な実現方式に関連して、第１の態様の第４の可能な実現方式では、第１のネットワーク要素デバイスによって送信された第１のメッセージが、第１のＭＣＰＴＴユーザのユーザ情報を含み、
それに応じて、第１のフロア制御サーバによって第１のメッセージ及びフロア制御ポリシーに従って、第１のＭＣＰＴＴシステムに属するＭＣＰＴＴグループ内のＭＣＰＴＴユーザがフロアを占有することを決定するステップが、
第１のフロア制御サーバによって第１のメッセージ及びフロア制御ポリシーに従って、第１のＭＣＰＴＴシステムに属するＭＣＰＴＴグループ内の第１のＭＣＰＴＴユーザがフロアを占有することを決定するステップを含み、
それに応じて、第２のメッセージが、具体的には、第１のＭＣＰＴＴシステムに属するＭＣＰＴＴグループ内の第１のＭＣＰＴＴユーザがフロアを占有することを示すために使用される。
【００１１】
第１の態様の第４の可能な実現方式に関連して、第１の態様の第５の可能な実現方式では、ユーザ情報が次の、ユーザ識別子、ユーザロール、又はユーザ優先度情報、のうちの少なくとも１つを含む。
【００１２】
第１の態様、又は第１の態様の第１の可能な実現方式に関連して、第１の態様の第６の可能な実現方式では、第１のネットワーク要素デバイスによって送信された第１のメッセージが、第１のＭＣＰＴＴグループのグループ情報を含み、
それに応じて、第１のフロア制御サーバによって第１のメッセージ及びフロア制御ポリシーに従って、第１のＭＣＰＴＴシステムに属するＭＣＰＴＴグループ内のＭＣＰＴＴユーザがフロアを占有することを決定するステップが、
第１のフロア制御サーバによって第１のメッセージ及びフロア制御ポリシーに従って、第１のＭＣＰＴＴシステムに属する第１のＭＣＰＴＴグループ内のＭＣＰＴＴユーザがフロアを占有することを決定するステップを含み、
それに応じて、第２のメッセージが、具体的には、第１のＭＣＰＴＴシステムに属する第１のＭＣＰＴＴグループ内のＭＣＰＴＴユーザがフロアを占有することを示すために使用される。
【００１３】
第１の態様、又は第１の態様の第１から第６の可能な実現方式のいずれか１つに関連して、第１の態様の第７の可能な実現方式では、当該方法は更に、
第１のフロア制御サーバによって、第３のメッセージを別のネットワーク要素デバイスへ送信するステップであって、別のネットワーク要素デバイスが、Ｎ個のネットワーク要素デバイス中の、第１のネットワーク要素デバイスを除いたデバイスである、ステップを含み、
第３のメッセージが、第３のＭＣＰＴＴシステムに属するＭＣＰＴＴグループ内のＭＣＰＴＴユーザのフロア占有が拒否されていること、又は第３のメッセージがキュー情報を含むことを示すために使用され、キュー情報は、第３のＭＣＰＴＴシステムに属するＭＣＰＴＴグループ内のＭＣＰＴＴユーザによって占有されたフロアのキューイングを示すために使用され、第３のＭＣＰＴＴシステムが、別のネットワーク要素デバイスが属するＭＣＰＴＴグループである。
【００１４】
第２の態様によれば、本発明の一実施例では、複数のミッションクリティカルプッシュツートークＭＣＰＴＴシステムに関するフロア制御のための方法を提供し、当該方法は、
第１のネットワーク要素デバイスによって、Ｋ個のユーザ機器ＵＥによって送信されたフロア要求メッセージを受信するステップであって、Ｋが１以上の整数であり、第１のネットワーク要素デバイスが第１のＭＣＰＴＴシステムに属し、Ｋ人のＭＣＰＴＴユーザがそれぞれＫ個のＵＥと関連付けられており、Ｋ人のＭＣＰＴＴユーザがそれぞれ属するＭＣＰＴＴグループが、第１のＭＣＰＴＴシステムに属する、ステップと、
第１のネットワーク要素デバイスによって、第１のメッセージを第１のフロア制御サーバへフロア要求メッセージに従って送信するステップであって、第１のメッセージがフロアを第１のフロア制御サーバに要求するために使用される、ステップと、
第１のネットワーク要素デバイスによって、第１のフロア制御サーバによって送信された第２のメッセージを受信するステップであって、第２のメッセージが、第１のＭＣＰＴＴシステムに属するＭＣＰＴＴグループ内のＭＣＰＴＴユーザがフロアを占有することを示すために使用される、ステップと、
第１のネットワーク要素デバイスによって第２のメッセージに従って、第１のＭＣＰＴＴユーザがフロアを占有することを決定するステップであって、第１のＭＣＰＴＴユーザが第１のＵＥの関連ユーザであり、第１のＵＥがＮ個のＵＥ中のＵＥである、ステップと、
第１のネットワーク要素デバイスによって、フロア応答メッセージを第１のＵＥへ送信するステップであって、フロア応答メッセージが、第１のＭＣＰＴＴユーザがフロアを占有することを示すために使用される、ステップとを含む。
【００１５】
第２の態様に関連して、第２の態様の第１の可能な実現方式では、第１のネットワーク要素デバイスが第２のフロア制御サーバ又はメディアサーバである。
【００１６】
第２の態様、又は第２の態様の第１の可能な実現方式に関連して、第２の態様の第２の可能な実現方式では、第１のメッセージが、フロアを第１のネットワーク要素デバイスに要求するＫ人のＭＣＰＴＴユーザが属するＭＣＰＴＴグループのグループ情報を含み、第１のＭＣＰＴＴユーザが第１のＭＣＰＴＴグループに属し、
それに応じて、第２のメッセージが、具体的には、第１のＭＣＰＴＴシステムに属する第１のＭＣＰＴＴグループ内のＭＣＰＴＴユーザがフロアを占有することを示すために使用され、
第２のフロア制御サーバによって第２のメッセージに従って、第１のＭＣＰＴＴユーザがフロアを占有することを決定するステップが、
第２のフロア制御サーバによって第２のメッセージ及びフロア制御ポリシーに従って、かつ第１のＭＣＰＴＴグループから、第１のＭＣＰＴＴユーザがフロアを占有することを決定するステップを含む。
【００１７】
第２の態様の第２の可能な実現方式に関連して、第２の態様の第３の可能な実現方式では、グループ情報が次の、グループ識別子又はグループ優先度、のうちの少なくとも１つを含む。
【００１８】
第２の態様、又は第２の態様の第１の可能な実現方式に関連して、第２の態様の第４の可能な実現方式では、第１のネットワーク要素デバイスによって、第１のメッセージを第１のフロア制御サーバへフロア要求メッセージに従って送信するステップが、
第２のフロア制御サーバによって、第１のメッセージを第１のフロア制御サーバへ、Ｋ個のＵＥによって送信されたフロア要求メッセージ、及びフロア制御ポリシーに従って送信するステップであって、第１のメッセージが、フロアを第２のフロア制御サーバに要求するＫ人のＭＣＰＴＴユーザにおける第１のＭＣＰＴＴユーザのユーザ情報を含む、ステップを含み、
それに応じて、第２のメッセージが、具体的には、第１のＭＣＰＴＴシステムに属するＭＣＰＴＴグループ内の第１のＭＣＰＴＴユーザがフロアを占有することを示すために使用される。
【００１９】
第２の態様の第４の可能な実現方式に関連して、第２の態様の第５の可能な実現方式では、ユーザ情報が次の、ユーザ識別子、ユーザロール、又はユーザ優先度情報、のうちの少なくとも１つを含む。
【００２０】
第２の態様、又は第２の態様の第１の可能な実現方式に関連して、第２の態様の第６の可能な実現方式では、第１のネットワーク要素デバイスによって、第１のメッセージを第１のフロア制御サーバへフロア要求メッセージに従って送信するステップが、
第２のフロア制御サーバによって、第１のメッセージを第１のフロア制御サーバへ、Ｎ個のＵＥによって送信されたフロア要求メッセージ、及びフロア制御ポリシーに従って送信するステップであって、第１のメッセージが、フロアを第２のフロア制御サーバに要求するＫ人のＭＣＰＴＴユーザがそれぞれ属するＭＣＰＴＴグループ中の第１のＭＣＰＴＴグループのグループ情報を含み、第１のＭＣＰＴＴユーザが第１のＭＣＰＴＴグループに属する、ステップを含み、
それに応じて、第２のメッセージが、具体的には、第１のＭＣＰＴＴシステムに属する第１のＭＣＰＴＴグループ内のＭＣＰＴＴユーザがフロアを占有することを示すために使用され、
第２のフロア制御サーバによって第２のメッセージに従って、第１のＭＣＰＴＴユーザがフロアを占有することを決定するステップが、
第２のフロア制御サーバによって第２のメッセージ及びフロア制御ポリシーに従って、かつ第１のＭＣＰＴＴグループから、第１のＭＣＰＴＴユーザがフロアを占有することを決定するステップを含む。
【００２１】
第２の態様、又は第２の態様の第１から第６の可能な実現方式のいずれか１つに関連して、第２の態様の第７の可能な実現方式では、第１のＭＣＰＴＴユーザが属するＭＣＰＴＴシステムが第１のＭＣＰＴＴシステムと異なる場合、第１のネットワーク要素デバイスによって、第１のＵＥによって送信されたフロア要求メッセージを受信するステップが、
第１のネットワーク要素デバイスによって、第１のＵＥによって直接第１のネットワーク要素デバイスへ送信されるフロア要求メッセージを受信するステップ、又は
第１のネットワーク要素デバイスによって、第２のネットワーク要素デバイスを使用して第１のＵＥにより第１のネットワーク要素デバイスへ送信されるフロア要求メッセージを受信するステップを含み、
第２のネットワーク要素デバイスが、第１のＭＣＰＴＴユーザが属するＭＣＰＴＴシステム内のネットワーク要素デバイスである。
【００２２】
第２の態様の第１の可能な実現方式に関連して、第２の態様の第８の可能な実現方式では、第１のネットワーク要素デバイスが第２のフロア制御サーバである場合、第１のネットワーク要素デバイスによって、第１のＵＥによって送信されたフロア要求メッセージを受信するステップが、
第１のネットワーク要素デバイスによって、第１のＵＥによって直接第２のフロア制御サーバへ送信されるフロア要求メッセージを受信するステップ、
又は
第１のネットワーク要素デバイスによって、メディアサーバを使用して第１のＵＥにより第２のフロア制御サーバへ送信されるフロア要求メッセージを受信するステップを含む。
【００２３】
第３の態様によれば、本発明の一実施例では、ミッションクリティカルプッシュツートークＭＣＰＴＴシステムに関するフロア制御のための方法を提供し、第１のフロア制御サーバが、第１のネットワーク要素デバイスへ、第１のＭＣＰＴＴシステムに属するＭＣＰＴＴグループ内のＭＣＰＴＴユーザがフロアを占有することを示すために使用される第２のメッセージを送信し、それにより、第１のＭＣＰＴＴシステムに属するＭＣＰＴＴグループ内のＭＣＰＴＴユーザがフロアを占有し、第１のＭＣＰＴＴシステムが、第１のネットワーク要素デバイスが属するＭＣＰＴＴシステムであり、第１のネットワーク要素デバイスが、第１のユーザ機器ＵＥへ、第１のＭＣＰＴＴユーザがフロアを占有することを示すために使用されるフロア応答メッセージを送信し、それにより、第１のＭＣＰＴＴユーザがフロアを占有し、第１のＭＣＰＴＴユーザが第１のＵＥの関連ユーザであり、当該方法は、
第２のメディアサーバによって、第１のＵＥによって送信されたユーザプレーンデータを受信するステップであって、第２のメディアサーバが第１のＭＣＰＴＴシステムに属する、ステップと、
第２のメディアサーバによって、ユーザプレーンデータを第１のメディアサーバへ送信し、それにより、第１のメディアサーバがユーザプレーンデータを転送するステップとを含み、
第１のフロア制御サーバが属するＭＣＰＴＴシステムが、第１のメディアサーバを含む。
【００２４】
第４の態様によれば、本発明の一実施例では、ミッションクリティカルプッシュツートークＭＣＰＴＴシステムに関するフロア制御のための方法を提供し、第１のフロア制御サーバが、第１のネットワーク要素デバイスへ、第１のＭＣＰＴＴシステムに属するＭＣＰＴＴグループ内のＭＣＰＴＴユーザがフロアを占有することを示すために使用される第２のメッセージを送信し、それにより、第１のＭＣＰＴＴシステムに属するＭＣＰＴＴグループ内のＭＣＰＴＴユーザがフロアを占有し、第１のＭＣＰＴＴシステムが、第１のネットワーク要素デバイスが属するＭＣＰＴＴシステムであり、第１のネットワーク要素デバイスが、第１のユーザ機器ＵＥへ、第１のＭＣＰＴＴユーザがフロアを占有することを示すために使用されるフロア応答メッセージを送信し、それにより、第１のＭＣＰＴＴユーザがフロアを占有し、第１のＭＣＰＴＴユーザが第１のＵＥの関連ユーザであり、当該方法は、
第１のメディアサーバによって、第２のメディアサーバによって送信された第１のＵＥのユーザプレーンデータを受信するステップであって、第１のフロア制御サーバが属するＭＣＰＴＴシステムが第１のメディアサーバを含み、第２のメディアサーバが第１のＭＣＰＴＴシステムに属する、ステップと、
第１のメディアサーバによって、ユーザプレーンデータを転送するステップとを含む。
【００２５】
第４の態様に関連して、第４の態様の第１の可能な実現方式では、第１のメディアサーバによって、ユーザプレーンデータを転送するステップが、
第１のメディアサーバによって、ユーザプレーンデータを第２のＵＥへ送信するステップを含み、第２のＵＥの関連ユーザが、第１のフロア制御サーバが属するＭＣＰＴＴシステムに属しているＭＣＰＴＴグループ内のＭＣＰＴＴユーザである。
【００２６】
第４の態様の第１の可能な実現方式に関連して、第４の態様の第２の可能な実現方式では、第２のＵＥが属するＭＣＰＴＴシステムが、第１のフロア制御サーバが属するＭＣＰＴＴシステムと異なる場合、第１のメディアサーバによって、ユーザプレーンデータを第２のＵＥへ送信するステップが、
第１のメディアサーバによって、ユーザプレーンデータを直接第２のＵＥへ送信するステップ、又は
第１のメディアサーバによって、ユーザプレーンデータを、第３のメディアサーバを使用して第２のＵＥへ送信するステップを含み、
第２のＵＥが属するＭＣＰＴＴシステムが、第３のメディアサーバを含む。
【００２７】
第４の態様の第１又は第２の可能な実現方式に関連して、第４の態様の第３の可能な実現方式では、第１のメディアサーバによって、ユーザプレーンデータを転送するステップが更に、
第１のメディアサーバによって、ユーザプレーンデータを第４のメディアサーバへ送信し、それにより、第４のメディアサーバがユーザプレーンデータを第３のＵＥへ転送するステップを含み、
第３のＵＥの関連ユーザが、第２のＭＣＰＴＴシステムに属するＭＣＰＴＴグループ内のＭＣＰＴＴユーザであり、第２のＭＣＰＴＴシステムが第４のメディアサーバを含む。
【００２８】
第５の態様によれば、本発明の一実施例では、複数のミッションクリティカルプッシュツートークＭＣＰＴＴシステムに関するフロア制御のための方法を提供し、当該方法は、
第１のフロア制御サーバによって、Ｎ個のネットワーク要素デバイスによって送信された第１のメッセージを受信するステップであって、第１のメッセージが、フロアをネットワーク要素デバイスに要求するＭＣＰＴＴユーザのユーザ情報を含み、第１のメッセージがフロアを第１のフロア制御サーバに要求するために使用され、Ｎが１以上の整数であり、Ｎ個のネットワーク要素デバイスがそれぞれＮ個のＭＣＰＴＴシステムに属する、ステップと、
第１のフロア制御サーバによって、第１のメッセージ及びフロア制御ポリシーに従って、第１のＭＣＰＴＴシステムに属する第１のＭＣＰＴＴユーザがフロアを占有することを決定するステップであって、第１のＭＣＰＴＴシステムが、第１のネットワーク要素デバイスが属するＭＣＰＴＴシステムであり、第１のネットワーク要素デバイスが、Ｎ個のネットワーク要素デバイス中のネットワーク要素デバイスである、ステップと、
第１のフロア制御サーバによって、第２のメッセージを第１のネットワーク要素デバイスへ送信するステップであって、第２のメッセージが、第１のＭＣＰＴＴシステムに属する第１のＭＣＰＴＴユーザがフロアを占有することを示すために使用される、ステップとを含む。
【００２９】
第５の態様に関連して、第５の態様の第１の可能な実現方式では、ユーザ情報が次の、ユーザ識別子、ユーザロール、又はユーザ優先度情報、のうちの少なくとも１つを含む。
【００３０】
第６の態様によれば、本発明の一実施例では、ミッションクリティカルプッシュツートークＭＣＰＴＴシステムに関するフロア制御のための方法を提供し、第１のフロア制御サーバが、第１のネットワーク要素デバイスへ、第１のＭＣＰＴＴシステムに属する第１のＭＣＰＴＴユーザがフロアを占有することを示すために使用される第２のメッセージを送信し、それにより、第１のＭＣＰＴＴシステムに属する第１のＭＣＰＴＴユーザがフロアを占有し、第１のＭＣＰＴＴシステムが、第１のネットワーク要素デバイスが属するＭＣＰＴＴシステムであり、第１のＭＣＰＴＴユーザが第１のユーザ機器ＵＥの関連ユーザであり、当該方法は、
第２のメディアサーバによって、第１のＵＥによって送信されたユーザプレーンデータを受信するステップであって、第２のメディアサーバが第１のＭＣＰＴＴシステムに属する、ステップと、
第２のメディアサーバによって、ユーザプレーンデータを第１のメディアサーバへ送信し、それにより、第１のメディアサーバがユーザプレーンデータを転送するステップとを含み、
第１のフロア制御サーバが属するＭＣＰＴＴシステムが、第１のメディアサーバを含む。
【００３１】
第７の態様によれば、本発明の一実施例では、ミッションクリティカルプッシュツートークＭＣＰＴＴシステムに関するフロア制御のための方法を提供し、第１のフロア制御サーバが、第１のネットワーク要素デバイスへ、第１のＭＣＰＴＴシステムに属する第１のＭＣＰＴＴユーザがフロアを占有することを示すために使用される第２のメッセージを送信し、それにより、第１のＭＣＰＴＴシステムに属する第１のＭＣＰＴＴユーザがフロアを占有し、第１のＭＣＰＴＴシステムが、第１のネットワーク要素デバイスが属するＭＣＰＴＴシステムであり、第１のＭＣＰＴＴユーザが第１のユーザ機器ＵＥの関連ユーザであり、当該方法は、
第１のメディアサーバによって、第２のメディアサーバによって送信された第１のＵＥのユーザプレーンデータを受信するステップであって、第１のフロア制御サーバが属するＭＣＰＴＴシステムが第１のメディアサーバを含み、第２のメディアサーバが第１のＭＣＰＴＴシステムに属する、ステップと、
第１のメディアサーバによってユーザプレーンデータを転送するステップとを含む。
【００３２】
第７の態様に関連して、第７の態様の第１の可能な実現方式では、第１のメディアサーバによって、ユーザプレーンデータを転送するステップが、
第１のメディアサーバによって、ユーザプレーンデータを第２のＵＥへ送信するステップを含み、第２のＵＥの関連ユーザが、第１のフロア制御サーバが属するＭＣＰＴＴシステムに属しているＭＣＰＴＴユーザである。
【００３３】
第７の態様の第１の可能な実現方式に関連して、第７の態様の第２の可能な実現方式では、第１のメディアサーバによって、ユーザプレーンデータを転送するステップが更に、
第１のメディアサーバによって、ユーザプレーンデータを第３のメディアサーバへ送信し、それにより、第３のメディアサーバがユーザプレーンデータを第３のＵＥへ転送するステップを含み、
第３のＵＥの関連ユーザが、第２のＭＣＰＴＴシステムに属するＭＣＰＴＴユーザであり、第２のＭＣＰＴＴシステムが第３のメディアサーバを含む。
【００３４】
第８の態様によれば、本発明の一実施例では、複数のミッションクリティカルプッシュツートークＭＣＰＴＴシステムに関するフロア制御のための装置を提供し、当該装置は第１のフロア制御サーバであり、当該装置は、
Ｎ個のネットワーク要素デバイスによって送信された第１のメッセージを受信するように構成された受信モジュールであって、第１のメッセージが、フロアを第１のフロア制御サーバに要求するために使用され、Ｎが１以上の整数であり、Ｎ個のネットワーク要素デバイスがそれぞれＮ個のＭＣＰＴＴシステムに属する、受信モジュールと、
第１のメッセージ及びフロア制御ポリシーに従って、第１のＭＣＰＴＴシステムに属するＭＣＰＴＴグループ内のＭＣＰＴＴユーザがフロアを占有することを決定するように構成された処理モジュールであって、第１のＭＣＰＴＴシステムが、第１のネットワーク要素デバイスが属するＭＣＰＴＴシステムであり、第１のネットワーク要素デバイスが、Ｎ個のネットワーク要素デバイス中のネットワーク要素デバイスである、処理モジュールと、
第２のメッセージを第１のネットワーク要素デバイスへ送信するように構成された送信モジュールであって、第２のメッセージが、第１のＭＣＰＴＴシステムに属するＭＣＰＴＴグループ内のＭＣＰＴＴユーザがフロアを占有することを示すために使用される、送信モジュールとを含む。
【００３５】
第８の態様に関連して、第８の態様の第１の可能な実現方式では、ネットワーク要素デバイスがフロア制御サーバ又はメディアサーバである。
【００３６】
第８の態様、又は第８の態様の第１の可能な実現方式に関連して、第８の態様の第２の可能な実現方式では、第１のネットワーク要素デバイスによって送信された第１のメッセージが、少なくとも１つのＭＣＰＴＴグループのグループ情報を含み、少なくとも１つのＭＣＰＴＴグループが第１のＭＣＰＴＴグループを含み、
それに応じて、処理モジュールが、具体的には、
第１のメッセージ及びフロア制御ポリシーに従って、第１のＭＣＰＴＴシステムに属する第１のＭＣＰＴＴグループ内のＭＣＰＴＴユーザがフロアを占有することを決定するように構成され、
第２のメッセージが、具体的には、第１のＭＣＰＴＴシステムに属する第１のＭＣＰＴＴグループ内のＭＣＰＴＴユーザがフロアを占有することを示すために使用される。
【００３７】
第８の態様の第２の可能な実現方式に関連して、第８の態様の第３の可能な実現方式では、グループ情報が次の、グループ識別子又はグループ優先度、のうちの少なくとも１つを含む。
【００３８】
第８の態様、又は第８の態様の第１の可能な実現方式に関連して、第８の態様の第４の可能な実現方式では、第１のネットワーク要素デバイスによって送信された第１のメッセージが、第１のＭＣＰＴＴユーザのユーザ情報を含み、
それに応じて、処理モジュールが、具体的には、
第１のメッセージ及びフロア制御ポリシーに従って、第１のＭＣＰＴＴシステムに属するＭＣＰＴＴグループ内の第１のＭＣＰＴＴユーザがフロアを占有することを決定するように構成され、
第２のメッセージが、具体的には、第１のＭＣＰＴＴシステムに属するＭＣＰＴＴグループ内の第１のＭＣＰＴＴユーザがフロアを占有することを示すために使用される。
【００３９】
第８の態様の第４の可能な実現方式に関連して、第８の態様の第５の可能な実現方式では、ユーザ情報が次の、ユーザ識別子、ユーザロール、又はユーザ優先度情報、のうちの少なくとも１つを含む。
【００４０】
第８の態様、又は第８の態様の第１の可能な実現方式に関連して、第８の態様の第６の可能な実現方式では、第１のネットワーク要素デバイスによって送信された第１のメッセージが、第１のＭＣＰＴＴグループのグループ情報を含み、
それに応じて、処理モジュールが、具体的には、
第１のメッセージ及びフロア制御ポリシーに従って、第１のＭＣＰＴＴシステムに属する第１のＭＣＰＴＴグループ内のＭＣＰＴＴユーザがフロアを占有することを決定するように構成され、
第２のメッセージが、具体的には、第１のＭＣＰＴＴシステムに属する第１のＭＣＰＴＴグループ内のＭＣＰＴＴユーザがフロアを占有することを示すために使用される。
【００４１】
第８の態様、又は第８の態様の第１から第６の可能な実現方式のいずれか１つに関連して、第８の態様の第７の可能な実現方式では、送信モジュールが更に、第３のメッセージを別のネットワーク要素デバイスへ送信するように構成され、別のネットワーク要素デバイスが、Ｎ個のネットワーク要素デバイス中の、第１のネットワーク要素デバイスを除いたデバイスであり、
第３のメッセージが、第３のＭＣＰＴＴシステムに属するＭＣＰＴＴグループ内のＭＣＰＴＴユーザのフロア占有が拒否されていること、又は第３のメッセージがキュー情報を含むことを示すために使用され、キュー情報は、第３のＭＣＰＴＴシステムに属するＭＣＰＴＴグループ内のＭＣＰＴＴユーザによって占有されたフロアのキューイングを示すために使用され、第３のＭＣＰＴＴシステムが、別のネットワーク要素デバイスが属するＭＣＰＴＴグループである。
【００４２】
第９の態様によれば、本発明の一実施例では、複数のミッションクリティカルプッシュツートークＭＣＰＴＴシステムに関するフロア制御のための装置を提供し、当該装置は第１のネットワーク要素デバイスであり、当該装置は、
Ｋ個のユーザ機器ＵＥによって送信されたフロア要求メッセージを受信するように構成された受信モジュールであって、Ｋが１以上の整数であり、第１のネットワーク要素デバイスが第１のＭＣＰＴＴシステムに属し、Ｋ人のＭＣＰＴＴユーザがそれぞれＫ個のＵＥと関連付けられており、Ｋ人のＭＣＰＴＴユーザがそれぞれ属するＭＣＰＴＴグループが、第１のＭＣＰＴＴシステムに属する、受信モジュールと、
第１のメッセージを第１のフロア制御サーバへフロア要求メッセージに従って送信するように構成された送信モジュールであって、第１のメッセージが、フロアを第１のフロア制御サーバに要求するために使用される、送信モジュールとを含み、
受信モジュールが更に、第１のフロア制御サーバによって送信された第２のメッセージを受信するように構成され、第２のメッセージが、第１のＭＣＰＴＴシステムに属するＭＣＰＴＴグループ内のＭＣＰＴＴユーザがフロアを占有することを示すために使用され、装置が更に、
第２のメッセージに従って、第１のＭＣＰＴＴユーザがフロアを占有することを決定するように構成された処理モジュールであって、第１のＭＣＰＴＴユーザが第１のＵＥの関連ユーザであり、第１のＵＥがＮ個のＵＥ中のＵＥである、処理モジュールを含み、
送信モジュールが更に、フロア応答メッセージを第１のＵＥへ送信するように構成され、フロア応答メッセージが、第１のＭＣＰＴＴユーザがフロアを占有することを示すために使用される。
【００４３】
第９の態様に関連して、第９の態様の第１の可能な実現方式では、第１ネットワーク要素デバイスが第２のフロア制御サーバ又はメディアサーバである。
【００４４】
第９の態様、又は第９の態様の第１の可能な実現方式に関連して、第９の態様の第２の可能な実現方式では、第１のメッセージが、フロアを第１のネットワーク要素デバイスに要求するＫ人のＭＣＰＴＴユーザが属するＭＣＰＴＴグループのグループ情報を含み、第１のＭＣＰＴＴユーザが第１のＭＣＰＴＴグループに属し、
それに応じて、第２のメッセージが、具体的には、第１のＭＣＰＴＴシステムに属する第１のＭＣＰＴＴグループ内のＭＣＰＴＴユーザがフロアを占有することを示すために使用され、
処理モジュールが、具体的には、第２のメッセージ及びフロア制御ポリシーに従って、かつ第１のＭＣＰＴＴグループから、第１のＭＣＰＴＴユーザがフロアを占有することを決定するように構成される。
【００４５】
第９の態様の第２の可能な実現方式に関連して、第９の態様の第３の可能な実現方式では、グループ情報が次の、グループ識別子又はグループ優先度、のうちの少なくとも１つを含む。
【００４６】
第９の態様、又は第９の態様の第１の可能な実現方式に関連して、第９の態様の第４の可能な実現方式では、送信モジュールが第１のメッセージを第１のフロア制御サーバへフロア要求メッセージに従って送信することが、具体的には、
第１のメッセージを第１のフロア制御サーバへ、Ｋ個のＵＥによって送信されたフロア要求メッセージ、及びフロア制御ポリシーに従って送信することを含み、第１のメッセージが、フロアを第２のフロア制御サーバに要求するＫ人のＭＣＰＴＴユーザにおける第１のＭＣＰＴＴユーザのユーザ情報を含み、
それに応じて、第２のメッセージが、具体的には、第１のＭＣＰＴＴシステムに属するＭＣＰＴＴグループ内の第１のＭＣＰＴＴユーザがフロアを占有することを示すために使用される。
【００４７】
第９の態様の第４の可能な実現方式に関連して、第９の態様の第５の可能な実現方式では、ユーザ情報が次の、ユーザ識別子、ユーザロール、又はユーザ優先度情報、のうちの少なくとも１つを含む。
【００４８】
第９の態様、又は第９の態様の第１の可能な実現方式に関連して、第９の態様の第６の可能な実現方式では、送信モジュールが第１のメッセージを第１のフロア制御サーバへフロア要求メッセージに従って送信することが、具体的には、
第１のメッセージを第１のフロア制御サーバへ、フロア要求メッセージ及びフロア制御ポリシーに従って送信することを含み、第１のメッセージが、フロアを第２のフロア制御サーバに要求するＫ人のＭＣＰＴＴユーザがそれぞれ属するＭＣＰＴＴグループ中の第１のＭＣＰＴＴグループのグループ情報を含み、第１のＭＣＰＴＴユーザが第１のＭＣＰＴＴグループに属し、
それに応じて、第２のメッセージが、具体的には、第１のＭＣＰＴＴシステムに属する第１のＭＣＰＴＴグループ内のＭＣＰＴＴユーザがフロアを占有することを示すために使用され、
処理モジュールが、具体的には、第２のメッセージ及びフロア制御ポリシーに従って、かつ第１のＭＣＰＴＴグループから、第１のＭＣＰＴＴユーザがフロアを占有することを決定するように構成される。
【００４９】
第９の態様、又は第９の態様の第１から第６の可能な実現方式のいずれか１つに関連して、第９の態様の第７の可能な実現方式では、第１のＭＣＰＴＴユーザが属するＭＣＰＴＴシステムが第１のＭＣＰＴＴシステムと異なる場合、受信モジュールが、第１のＵＥによって送信されたフロア要求メッセージを受信することが、具体的には、
第１のＵＥによって直接第１のネットワーク要素デバイスへ送信されるフロア要求メッセージを受信すること、又は
第２のネットワーク要素デバイスを使用して第１のＵＥにより第１のネットワーク要素デバイスへ送信されるフロア要求メッセージを受信することを含み、
第２のネットワーク要素デバイスが、第１のＭＣＰＴＴユーザが属するＭＣＰＴＴシステム内のネットワーク要素デバイスである。
【００５０】
第９の態様の第１の可能な実現方式に関連して、第９の態様の第８の可能な実現方式では、第１のネットワーク要素デバイスが第２のフロア制御サーバである場合、受信モジュールが、第１のＵＥによって送信されたフロア要求メッセージを受信することが、具体的には、
第１のＵＥによって直接第２のフロア制御サーバへ送信されるフロア要求メッセージを受信すること、
又は
メディアサーバを使用して第１のＵＥにより第２のフロア制御サーバへ送信されるフロア要求メッセージを受信することを含む。
【００５１】
第１０の態様によれば、本発明の一実施例では、ミッションクリティカルプッシュツートークＭＣＰＴＴシステムに関するフロア制御のための装置を提供し、当該装置は第２のメディアサーバであり、第１のフロア制御サーバが、第１のネットワーク要素デバイスへ、第１のＭＣＰＴＴシステムに属するＭＣＰＴＴグループ内のＭＣＰＴＴユーザがフロアを占有することを示すために使用される第２のメッセージを送信し、それにより、第１のＭＣＰＴＴシステムに属するＭＣＰＴＴグループ内のＭＣＰＴＴユーザがフロアを占有し、第１のＭＣＰＴＴシステムが、第１のネットワーク要素デバイスが属するＭＣＰＴＴシステムであり、第１のネットワーク要素デバイスが、第１のユーザ機器ＵＥへ、第１のＭＣＰＴＴユーザがフロアを占有することを示すために使用されるフロア応答メッセージを送信し、それにより、第１のＭＣＰＴＴユーザがフロアを占有し、第１のＭＣＰＴＴユーザが第１のＵＥの関連ユーザであり、第２のメディアサーバが第１のＭＣＰＴＴシステムに属し、当該装置は、
第１のＵＥによって送信されたユーザプレーンデータを受信するように構成された受信モジュールと、
ユーザプレーンデータを第１のメディアサーバへ送信するように構成された転送モジュールであって、それにより、第１のメディアサーバがユーザプレーンデータを転送する、転送モジュールとを含み、
第１のフロア制御サーバが属するＭＣＰＴＴシステムが、第１のメディアサーバを含む。
【００５２】
第１１の態様によれば、本発明の一実施例では、ミッションクリティカルプッシュツートークＭＣＰＴＴシステムに関するフロア制御のための装置を提供し、当該装置は第１のメディアサーバであり、第１のフロア制御サーバが、第１のネットワーク要素デバイスへ、第１のＭＣＰＴＴシステムに属するＭＣＰＴＴグループ内のＭＣＰＴＴユーザがフロアを占有することを示すために使用される第２のメッセージを送信し、それにより、第１のＭＣＰＴＴシステムに属するＭＣＰＴＴグループ内のＭＣＰＴＴユーザがフロアを占有し、第１のＭＣＰＴＴシステムが、第１のネットワーク要素デバイスが属するＭＣＰＴＴシステムであり、第１のネットワーク要素デバイスが、第１のユーザ機器ＵＥへ、第１のＭＣＰＴＴユーザがフロアを占有することを示すために使用されるフロア応答メッセージを送信し、それにより、第１のＭＣＰＴＴユーザがフロアを占有し、第１のＭＣＰＴＴユーザが第１のＵＥの関連ユーザであり、第２のメディアサーバが第１のＭＣＰＴＴシステムに属し、第１のフロア制御サーバが属するＭＣＰＴＴシステムが第１のメディアサーバを含み、当該装置は、
第２のメディアサーバによって送信された第１のＵＥのユーザプレーンデータを受信するように構成された受信モジュールと、
ユーザプレーンデータを転送するように構成された転送モジュールとを含む。
【００５３】
第１１の態様に関連して、第１１の態様の第１の可能な実現方式では、転送モジュールが、具体的には、ユーザプレーンデータを第２のＵＥへ送信するように構成され、第２のＵＥの関連ユーザが、第１のフロア制御サーバが属するＭＣＰＴＴシステムに属しているＭＣＰＴＴグループ内のＭＣＰＴＴユーザである。
【００５４】
第１１の態様の第１の可能な実現方式に関連して、第１１の態様の第２の可能な実現方式では、第２のＵＥが属するＭＣＰＴＴシステムが、第１のフロア制御サーバが属するＭＣＰＴＴシステムと異なる場合、転送モジュールが、具体的には、
ユーザプレーンデータを直接第２のＵＥへ送信するように、又は
ユーザプレーンデータを、第３のメディアサーバを使用して第２のＵＥへ送信するように構成され、
第２のＵＥが属するＭＣＰＴＴシステムが、第３のメディアサーバを含む。
【００５５】
第１１の態様の第１又は第２の可能な実現方式に関連して、第１１の態様の第３の可能な実現方式では、転送モジュールが更に、ユーザプレーンデータを第４のメディアサーバへ送信するように構成され、それにより、第４のメディアサーバがユーザプレーンデータを第３のＵＥへ転送し、
第３のＵＥの関連ユーザが、第２のＭＣＰＴＴシステムに属するＭＣＰＴＴグループ内のＭＣＰＴＴユーザであり、第２のＭＣＰＴＴシステムが第４のメディアサーバを含む。
【００５６】
第１２の態様によれば、本発明の一実施例では、複数のミッションクリティカルプッシュツートークＭＣＰＴＴシステムに関するフロア制御のための装置を提供し、当該装置は第１のフロア制御サーバであり、当該装置は、
Ｎ個のネットワーク要素デバイスによって送信された第１のメッセージを受信するように構成された受信モジュールであって、第１のメッセージが、フロアをネットワーク要素デバイスに要求するＭＣＰＴＴユーザのユーザ情報を含み、第１のメッセージがフロアを第１のフロア制御サーバに要求するために使用され、Ｎが１以上の整数であり、Ｎ個のネットワーク要素デバイスがそれぞれＮ個のＭＣＰＴＴシステムに属する、受信モジュールと、
第１のメッセージ及びフロア制御ポリシーに従って、第１のＭＣＰＴＴシステムに属する第１のＭＣＰＴＴユーザがフロアを占有することを決定するように構成された処理モジュールであって、第１のＭＣＰＴＴシステムが、第１のネットワーク要素デバイスが属するＭＣＰＴＴシステムであり、第１のネットワーク要素デバイスが、Ｎ個のネットワーク要素デバイス中のネットワーク要素デバイスである、処理モジュールと、
第２のメッセージを第１のネットワーク要素デバイスへ送信するように構成された送信モジュールであって、第２のメッセージが、第１のＭＣＰＴＴシステムに属する第１のＭＣＰＴＴユーザがフロアを占有することを示すために使用される、送信モジュールとを含む。
【００５７】
第１２の態様に関連して、第１２の態様の第１の可能な実現方式では、ユーザ情報が次の、ユーザ識別子、ユーザロール、又はユーザ優先度情報、のうちの少なくとも１つを含む。
【００５８】
第１３の態様によれば、本発明の一実施例では、ミッションクリティカルプッシュツートークＭＣＰＴＴシステムに関するフロア制御のための装置を提供し、当該装置は第２のメディアサーバであり、第１のフロア制御サーバが、第１のネットワーク要素デバイスへ、第１のＭＣＰＴＴシステムに属する第１のＭＣＰＴＴユーザがフロアを占有することを示すために使用される第２のメッセージを送信し、それにより、第１のＭＣＰＴＴシステムに属する第１のＭＣＰＴＴユーザがフロアを占有し、第１のＭＣＰＴＴシステムが、第１のネットワーク要素デバイスが属するＭＣＰＴＴシステムであり、第１のＭＣＰＴＴユーザが第１のユーザ機器ＵＥの関連ユーザであり、第２のメディアサーバが第１のＭＣＰＴＴシステムに属し、当該装置は、
第１のＵＥによって送信されたユーザプレーンデータを受信するように構成された受信モジュールと、
ユーザプレーンデータを第１のメディアサーバへ送信するように構成された転送モジュールであって、それにより、第１のメディアサーバがユーザプレーンデータを転送する、転送モジュールとを含み、
第１のフロア制御サーバが属するＭＣＰＴＴシステムが、第１のメディアサーバを含む。
【００５９】
第１４の態様によれば、本発明の一実施例では、ミッションクリティカルプッシュツートークＭＣＰＴＴシステムに関するフロア制御のための装置を提供し、当該装置は第１のメディアサーバであり、第１のフロア制御サーバが、第１のネットワーク要素デバイスへ、第１のＭＣＰＴＴシステムに属する第１のＭＣＰＴＴユーザがフロアを占有することを示すために使用される第２のメッセージを送信し、それにより、第１のＭＣＰＴＴシステムに属する第１のＭＣＰＴＴユーザがフロアを占有し、第１のＭＣＰＴＴシステムが、第１のネットワーク要素デバイスが属するＭＣＰＴＴシステムであり、第１のＭＣＰＴＴユーザが第１のユーザ機器ＵＥの関連ユーザであり、第１のフロア制御サーバが属するＭＣＰＴＴシステムが第１のメディアサーバを含み、第２のメディアサーバが第１のＭＣＰＴＴシステムに属し、当該装置は、
第２のメディアサーバによって送信された第１のＵＥのユーザプレーンデータを受信するように構成された受信モジュールと、
ユーザプレーンデータを転送するように構成された転送モジュールとを含む。
【００６０】
第１４の態様に関連して、第１４の態様の第１の可能な実現方式では、転送モジュールが、具体的には、ユーザプレーンデータを第２のＵＥへ送信するように構成され、第２のＵＥの関連ユーザが、第１のフロア制御サーバが属するＭＣＰＴＴシステムに属しているＭＣＰＴＴユーザである。
【００６１】
第１４の態様の第１の可能な実現方式に関連して、第１４の態様の第２の可能な実現方式では、転送モジュールが更に、ユーザプレーンデータを第３のメディアサーバへ送信するように構成され、それにより、第３のメディアサーバがユーザプレーンデータを第３のＵＥへ転送し、
第３のＵＥの関連ユーザが、第２のＭＣＰＴＴシステムに属するＭＣＰＴＴユーザであり、第２のＭＣＰＴＴシステムが第３のメディアサーバを含む。
【００６２】
第１５の態様によれば、本発明の一実施例では、ミッションクリティカルプッシュツートークＭＣＰＴＴシステムに関するフロア制御のためのシステムを提供し、システムは、第８の態様、又は第８の態様の第１から第７の可能な実現方式のいずれか１つによる第１のフロア制御サーバと、第９の態様、又は第９の態様の第１から第８の可能な実現方式のいずれか１つによる第１のネットワーク要素デバイスとを含む。
【００６３】
第１５の態様に関連して、第１５の態様の第１の可能な実現方式では、システムは更に、第１０の態様による第２のメディアサーバと、第１１の態様、又は第１１の態様の第１から第３の可能な実現方式のいずれか１つによる第１のメディアサーバとを含む。
【００６４】
第１６の態様によれば、本発明の一実施例では、ミッションクリティカルプッシュツートークＭＣＰＴＴシステムに関するフロア制御のためのシステムを提供し、システムは、第１２の態様、又は第１２の態様の第１の可能な実現方式による第１のフロア制御サーバと、第１３の態様による第２のメディアサーバと、第１４の態様、又は第１４の態様の第１及び第２の可能な実現方式のどちらかによる第１のメディアサーバとを含む。
【００６５】
本発明は、複数のＭＣＰＴＴシステムに関するフロア制御のための方法、装置及びシステムを提供する。Ｎ個のネットワーク要素デバイスによって送信された第１のメッセージを受信した後に、第１のフロア制御サーバが、Ｎ個のネットワーク要素デバイスによって送信された第１のメッセージ、及びフロア制御ポリシーに従って、第２のメッセージをＮ個のネットワーク要素デバイス中の第１のネットワーク要素デバイスへ送信することを決定する。第２のメッセージは、第１のＭＣＰＴＴシステムに属するＭＣＰＴＴグループ内のＭＣＰＴＴユーザがフロアを占有するために使用され、第１のＭＣＰＴＴシステムは、第１のネットワーク要素デバイスが属するＭＣＰＴＴシステムである。したがって、現在のグループ呼セッションに参加している複数のＭＣＰＴＴグループ中の１つのＭＣＰＴＴグループが属するＭＣＰＴＴシステム内の第１のフロア制御サーバは、別のＭＣＰＴＴシステムに属するＭＣＰＴＴグループ内のＭＣＰＴＴユーザのフロアを管理することができ、それにより、複数のＭＣＰＴＴシステムが参加するグループセッションにおけるフロア制御が実現される。
【００６６】
本発明の実施例における、又は従来技術における技術的解決法をより明確に説明するために、下記では、実施例又は従来技術を説明するために必要な添付の図面について簡潔に説明する。明らかに、下記の説明における添付の図面は、本発明のいくつかの実施例を示し、当業者であればなお、これらの添付の図面から別の図面を創造的な努力なしで導き出すことができよう。
【図面の簡単な説明】
【００６７】
【図１Ａ】本発明による、複数のＭＣＰＴＴシステムに関するフロア制御のための方法のアプリケーションシナリオの概略図である。
【図１Ｂ】本発明による、複数のＭＣＰＴＴシステムに関するフロア制御のための方法の別のアプリケーションシナリオの概略図である。
【図２】本発明による、複数のＭＣＰＴＴシステムに関するフロア制御のための方法の更に別のアプリケーションシナリオの概略図である。
【図３】本発明による、複数のＭＣＰＴＴシステムに関するフロア制御のための方法の実施例１の流れ図である。
【図４】本発明による、複数のＭＣＰＴＴシステムに関するフロア制御のための方法の実施例２の流れ図である。
【図５】本発明による、複数のＭＣＰＴＴシステムに関するフロア制御のための方法の実施例３の流れ図である。
【図６】本発明による、複数のＭＣＰＴＴシステムに関するフロア制御のための方法の実施例４の流れ図である。
【図７】本発明による、複数のＭＣＰＴＴシステムに関するフロア制御のための方法の実施例５の流れ図である。
【図８】本発明による、複数のＭＣＰＴＴシステムに関するフロア制御のための方法の実施例６の流れ図である。
【図９】本発明による、複数のＭＣＰＴＴシステムに関するフロア制御のための方法の実施例７の流れ図である。
【図１０】本発明による、複数のＭＣＰＴＴシステムに関するフロア制御のための方法の実施例８の流れ図である。
【図１１】本発明による、複数のＭＣＰＴＴシステムに関するフロア制御のための方法の実施例９の流れ図である。
【図１２】本発明による、複数のＭＣＰＴＴシステムに関するフロア制御のための方法の実施例１０の流れ図である。
【図１３】本発明による、複数のＭＣＰＴＴシステムに関するフロア制御のための方法の実施例１１の流れ図である。
【図１４】本発明による、複数のＭＣＰＴＴシステムに関するフロア制御のための方法の実施例１２の流れ図である。
【図１５】本発明による、複数のＭＣＰＴＴシステムに関するフロア制御のための方法の実施例１３の流れ図である。
【図１６】本発明による、複数のＭＣＰＴＴシステムに関するフロア制御のための方法の実施例１４の流れ図である。
【図１７】本発明による、複数のＭＣＰＴＴシステムに関するフロア制御のための方法の実施例１５の流れ図である。
【図１８】本発明による、複数のＭＣＰＴＴシステムに関するフロア制御のための装置の実施例１の概略構成図である。
【図１９】本発明による、複数のＭＣＰＴＴシステムに関するフロア制御のための装置の実施例３の概略構成図である。
【図２０】本発明による、複数のＭＣＰＴＴシステムに関するフロア制御のための装置の実施例８の概略構成図である。
【図２１】本発明による、複数のＭＣＰＴＴシステムに関するフロア制御のための装置の実施例１０の概略構成図である。
【発明を実施するための形態】
【００６８】
本発明の実施例の目的、技術的解決法、及び利点を明確にするために、下記では本発明の実施例における技術的解決法について、本発明の実施例の添付図面を参照して明確かつ十分に説明する。明らかに、説明される実施例は本発明の実施例の一部であり、全部ではない。本発明の実施例に基づいて、独創的な努力なしに当業者に得られる他のすべての実施例は、本発明の保護範囲に含まれるものとする。
【００６９】
図１Ａは、本発明による、複数のＭＣＰＴＴシステムに関するフロア制御のための方法のアプリケーションシナリオの概略図である。図１Ａに示されるように、複数のＭＣＰＴＴシステムには、ＭＣＰＴＴシステム１、ＭＣＰＴＴシステム２、及びＭＣＰＴＴシステム３が含まれる。ＭＣＰＴＴユーザ１はＭＣＰＴＴシステム１に属し、ＭＣＰＴＴユーザ２はＭＣＰＴＴシステム２に属し、ＭＣＰＴＴユーザ３はＭＣＰＴＴシステム３に属する。ＭＣＰＴＴユーザ１、ＭＣＰＴＴユーザ２、及びＭＣＰＴＴユーザ３はＭＣＰＴＴグループ１に属し、ＭＣＰＴＴグループ１はＭＣＰＴＴシステム１に属する。
【００７０】
図１Ａには３つのＭＣＰＴＴシステムがあること、並びに各ＭＣＰＴＴシステムに含まれるＭＣＰＴＴユーザの数は例示的なものにすぎないことに留意されたい。
【００７１】
ＭＣＰＴＴユーザが属するＭＣＰＴＴシステムは、ＭＣＰＴＴユーザが加入しているＭＣＰＴＴシステムであることに留意されたい。たとえば、ＭＣＰＴＴユーザＡがＭＣＰＴＴシステムＡに加入している場合、ＭＣＰＴＴユーザＡが属するＭＣＰＴシステムはＭＣＰＴＴシステムＡになり、ＭＣＰＴＴユーザＡはＭＣＰＴＴシステムＡに属する。ＭＣＰＴＴグループが属するＭＣＰＴＴシステムは、ＭＣＰＴＴグループを定義するＭＣＰＴＴシステムとみなすことができる。たとえば、ＭＣＰＴＴグループＡがＭＣＰＴＴシステムＡ内で定義される場合、ＭＣＰＴＴグループＡが属するＭＣＰＴシステムはＭＣＰＴＴシステムＡになり、ＭＣＰＴＴグループＡはＭＣＰＴＴシステムＡに属する。
【００７２】
本発明における各ＭＣＰＴＴシステムは、フロア制御サーバ（Ｆｌｏｏｒ  Ｃｏｎｔｒｏｌ  Ｓｅｒｖｅｒ）及び１つ又は複数のメディアサーバ（Ｍｅｄｉａ  Ｓｅｒｖｅｒ）を含むこと、並びに、ＭＣＰＴＴシステムはフロア制御サーバによって分割され得ること、つまり、ＭＣＰＴＴシステムはフロア制御サーバと１対１の対応関係にあることに留意されたい。
【００７３】
フロア制御サーバは、複数の受信フロア要求についてキューイングを決定及び／又は実行するように構成される。メディアサーバは、ユーザプレーンデータを転送するように構成される。フロア制御サーバ及びメディアサーバは、ハードウェア及び／又はソフトウェアを使用することによって実現され得る。
【００７４】
図１Ａは、１つのＭＣＰＴＴグループが中にあるマルチＭＣＰＴＴシステムシナリオであること、並びにＭＣＰＴＴグループ及びＭＣＰＴＴグループ内のＭＣＰＴＴユーザが属するＭＣＰＴＴシステムは、それぞれ異なることに留意されたい。
【００７５】
図１Ｂは、本発明による、複数のＭＣＰＴＴシステムに関するフロア制御のための方法の別のアプリケーションシナリオの概略図である。図１Ｂに示されるように、複数のＭＣＰＴＴシステムには、ＭＣＰＴＴシステム１、ＭＣＰＴＴシステム２、及びＭＣＰＴＴシステム３が含まれる。ＭＣＰＴＴユーザ１はＭＣＰＴＴシステム１に属し、ＭＣＰＴＴユーザ２はＭＣＰＴＴシステム２に属し、ＭＣＰＴＴユーザ３及びＭＣＰＴＴユーザ４はＭＣＰＴＴシステム３に属する。ＭＣＰＴＴユーザ１及びＭＣＰＴＴユーザ４はＭＣＰＴＴグループ１に属し、ＭＣＰＴＴユーザ２及びＭＣＰＴＴユーザ３はＭＣＰＴＴグループ２に属し、ＭＣＰＴＴグループ１及びＭＣＰＴＴグループ２はＭＣＰＴＴシステム１に属する。
【００７６】
図１Ｂには３つのＭＣＰＴＴシステムがあること、並びに各ＭＣＰＴＴシステムに含まれるＭＣＰＴＴユーザの数は例示的なものにすぎないことに留意されたい。
【００７７】
図１Ｂに示されるアプリケーションシナリオは、いくつかの特別なシナリオにおいて、同一のＭＣＰＴＴシステムに属する異なるＭＣＰＴＴグループ内のＭＣＰＴＴユーザが協働的にタスクを完了するために互いに通信する必要がある、という要求を満たすために使用されることに留意されたい。図１Ｂに関連した本発明における発明に関する前提条件は、複数のＭＣＰＴＴグループ（たとえば、ＭＣＰＴＴグループ１とＭＣＰＴＴグループ２）の間のセッションの確立がすでに完了しており、またセッションがアクティブ状態にあるということである。
【００７８】
図１Ｂは、複数のＭＣＰＴＴグループが中にあるマルチＭＣＰＴＴシステムシナリオであること、複数のＭＣＰＴＴグループは同一のＭＣＰＴＴシステムに属すること、並びに複数のＭＣＰＴＴグループ及び複数のＭＣＰＴＴグループ内のＭＣＰＴＴユーザが属するＭＣＰＴＴシステムは、それぞれ異なることに留意されたい。
【００７９】
図１Ａ及び図１Ｂに関連した本発明の実施例における第１のフロア制御サーバは、複数のＭＣＰＴＴシステム中の、ＭＣＰＴＴグループが属するＭＣＰＴＴシステム内のフロア制御サーバであることに留意されたい。
【００８０】
図２は、本発明による、複数のＭＣＰＴＴシステムに関するフロア制御のための方法の更に別のアプリケーションシナリオの概略図である。図２に示されるように、複数のＭＣＰＴＴシステムには、ＭＣＰＴＴシステム１、ＭＣＰＴＴシステム２、及びＭＣＰＴＴシステム３が含まれる。ＭＣＰＴＴグループ１はＭＣＰＴＴシステム１に属し、ＭＣＰＴＴグループ２及びＭＣＰＴＴグループ３はＭＣＰＴＴシステム２に属し、ＭＣＰＴＴグループ４はＭＣＰＴＴシステム３に属する。
【００８１】
図２において、３つのＭＣＰＴＴシステムがあること、複数のＭＣＰＴＴグループとして４つのグループがあることなどは、例示的なものにすぎないことに留意されたい。
【００８２】
図２に示されるアプリケーションシナリオは、いくつかのシナリオにおいて、異なるＭＣＰＴＴシステムに属する異なるＭＣＰＴＴグループ内のＭＣＰＴＴユーザが協働的にタスクを完了するために互いに通信する必要がある、という要求を満たすために使用されることに留意されたい。図２に関連した本発明における発明に関する前提条件は、複数のＭＣＰＴＴグループ（たとえば、ＭＣＰＴＴグループ１、ＭＣＰＴＴグループ２、ＭＣＰＴＴグループ３、及びＭＣＰＴＴグループ４）の間で、セッションの確立がすでに完了していることである。
【００８３】
図２は、複数のＭＣＰＴＴグループが中にあるマルチＭＣＰＴＴシステムであること、及び複数のＭＣＰＴＴグループが属するＭＣＰＴＴシステムは、それぞれ異なることに留意されたい。
【００８４】
図２に関連した本発明の実施例における第１のフロア制御サーバは、複数のＭＣＰＴＴグループ中の任意のＭＣＰＴＴグループが属するＭＣＰＴＴシステム内のフロア制御サーバであることに留意されたい。
【００８５】
図３は、本発明による、複数のＭＣＰＴＴシステムに関するフロア制御のための方法の実施例１の流れ図である。この実施例は、図１Ａ及び図１Ｂに示されたアプリケーションシナリオに適用される。図３に示されるように、この実施例における方法は下記のステップを含み得る。
【００８６】
ステップ３０１：第１のフロア制御サーバが、Ｎ個のネットワーク要素デバイスによって送信された第１のメッセージを受信し、第１のメッセージは、フロアをネットワーク要素デバイスに要求するＭＣＰＴＴユーザのユーザ情報を含み、また第１のメッセージは、フロアを第１のフロア制御サーバに要求するために使用される。
【００８７】
Ｎは１以上の整数であり、Ｎ個のネットワーク要素デバイスはそれぞれ、Ｎ個のＭＣＰＴＴシステムに属する。
【００８８】
任意選択で、ユーザ情報は次の、ユーザ識別子、ユーザロール、又はユーザ優先度情報、のうちの少なくとも１つを含む。ユーザ識別子は、ネットワーク要素デバイスによってＭＣＰＴＴユーザに対して一時的に生成されるユーザ識別子とすることができる。ユーザロールは、ＭＣＰＴＴユーザによって果たされる役割とすることができる。ユーザ優先度情報は、ユーザの優先度、又はユーザロールの優先度とすることができる。
【００８９】
図１Ａ及び図１Ｂに関連した実施例におけるネットワーク要素デバイスは、ＭＣＰＴＴユーザが属するＭＣＰＴＴシステム内のネットワーク要素デバイスであることに留意されたい。
【００９０】
ステップ３０２：第１のフロア制御サーバが、第１のメッセージ及びフロア制御ポリシーに従って、第１のＭＣＰＴＴシステムに属する第１のＭＣＰＴＴユーザがフロアを占有することを決定し、第１のＭＣＰＴＴシステムは、第１のネットワーク要素デバイスが属するＭＣＰＴＴシステムであり、第１のネットワーク要素デバイスは、Ｎ個のネットワーク要素デバイスのうちのネットワーク要素デバイスである。
【００９１】
任意選択で、第１のネットワーク要素デバイスは、第２のフロア制御サーバ又は第２のメディアサーバとすることができる。
【００９２】
任意選択で、ステップ３０２におけるフロア制御ポリシーは、メッセージ（つまり、第１のメッセージ）の受信順序に基づいたポリシー、ユーザ優先度に基づいたポリシー、などとすることができる。
【００９３】
ステップ３０２が実行される前にＭＣＰＴＴユーザがすでにフロアを占有している場合、別法として第１のフロア制御サーバは、フロア制御ポリシーに従って、ＭＣＰＴＴユーザがフロアを占有し続けること、又は第１のメッセージを送信するネットワーク要素デバイスが属するＭＣＰＴＴシステム内の別のＭＣＰＴＴユーザがフロアを占有することを決定する。
【００９４】
ステップ３０３：第１のフロア制御サーバが、第２のメッセージを第１のネットワーク要素デバイスへ送信し、第２のメッセージは、第１のＭＣＰＴＴシステムに属する第１のＭＣＰＴＴユーザがフロアを占有することを示すために使用される。
【００９５】
この実施例では、第１のフロア制御サーバがＮ個のネットワーク要素デバイスによって送信された第１のメッセージを受信した後に、第１のフロア制御サーバは、Ｎ個のネットワーク要素デバイスによって送信された第１のメッセージ、及びフロア制御ポリシーに従って、第２のメッセージを第１のネットワーク要素デバイスへ送信することを決定する。第２のメッセージは、第１のＭＣＰＴＴシステムに属する第１のＭＣＰＴＴユーザがフロアを占有するために使用され、第１のＭＣＰＴＴシステムは、第１のネットワーク要素デバイスが属するＭＣＰＴＴシステムである。したがって、現在のグループ呼セッションに参加している１つ又は複数のＭＣＰＴＴグループが属するＭＣＰＴＴシステム内の第１のフロア制御サーバは、１つ又は複数のＭＣＰＴＴグループ内の別のＭＣＰＴＴシステムに属するＭＣＰＴＴユーザのフロアを管理することができ、それにより、複数のＭＣＰＴＴシステムが参加するグループセッションにおけるフロア制御が実現される。
【００９６】
図４は、本発明による、複数のＭＣＰＴＴシステムに関するフロア制御のための方法の実施例２の流れ図である。図４に示されるように、図３に示された実施例に基づいて、この実施例は更に下記のステップを含み得る。
【００９７】
ステップ４０１：第２のメディアサーバが、第１のＵＥによって送信されたユーザプレーンデータを受信する。
【００９８】
第１のＭＣＰＴＴユーザは、第１のＵＥの関連ユーザである。
【００９９】
ステップ４０２：第２のメディアサーバが、ユーザプレーンデータを第１のメディアサーバへ送信し、それにより第１のメディアサーバは、ユーザプレーンデータを転送する。
【０１００】
第１のフロア制御サーバが属するＭＣＰＴＴシステムは、第１のメディアサーバを含む。
【０１０１】
本発明のこの実施例では、第２のメディアサーバが、第１のＵＥによって送信されたユーザプレーンデータを受信し、また第２のメディアサーバは、ユーザプレーンデータを第１のメディアサーバへ送信し、それにより第１のメディアサーバは、ユーザプレーンデータを転送する。したがって、現在のグループ呼セッションに参加している１つ又は複数のＭＣＰＴＴグループ内の第２のメディアサーバのＭＣＰＴＴシステムに属するＭＣＰＴＴユーザがフロアを得た後に、ＭＣＰＴＴユーザはユーザプレーンデータ（たとえば、スピーチコンテンツ）を、１つ又は複数のＭＣＰＴＴグループが属するＭＣＰＴＴシステム内のメディアサーバ（つまり、第１のメディアサーバ）を使用して、１つ又は複数のＭＣＰＴＴグループ内の別のＭＣＰＴＴユーザへ転送することができ、それにより、複数のＭＣＰＴＴシステムが参加するグループ呼におけるユーザプレーンデータの伝送が実現される。
【０１０２】
図５は、本発明による、複数のＭＣＰＴＴシステムに関するフロア制御のための方法の実施例３の流れ図である。図５に示されるように、図３に示された実施例に基づいて、この実施例は更に下記のステップを含み得る。
【０１０３】
ステップ５０１：第１のメディアサーバが、第２のメディアサーバによって送信された第１のＵＥのユーザプレーンデータを受信する。
【０１０４】
第１のＭＣＰＴＴユーザは第１のＵＥの関連ユーザであり、第１のフロア制御サーバが属するＭＣＰＴＴシステムが第１のメディアサーバを含む。
【０１０５】
ステップ５０２：第１のメディアサーバが、ユーザプレーンデータを転送する。
【０１０６】
任意選択で、第１のメディアサーバによってユーザプレーンデータを転送することは、
第１のメディアサーバによって、ユーザプレーンデータを第２のＵＥへ送信することを含み、第２のＵＥの関連ユーザは、第１のフロア制御サーバが属するＭＣＰＴＴシステムに属しているＭＣＰＴＴユーザである。
【０１０７】
更に、任意選択で、第１のメディアサーバによってユーザプレーンデータを転送するステップは、
第１のメディアサーバによって、ユーザプレーンデータを第３のメディアサーバへ送信することを更に含み、それにより、第３のメディアサーバはユーザプレーンデータを第３のＵＥへ転送し、
第３のＵＥの関連ユーザは、第２のＭＣＰＴＴシステムに属するＭＣＰＴＴユーザであり、第２のＭＣＰＴＴシステムは第３のメディアサーバを含む。
【０１０８】
本発明のこの実施例では、第１のメディアサーバが、第２のメディアサーバによって送信された第１のＵＥのユーザプレーンデータを受信し、また第１のメディアサーバは、ユーザプレーンデータを転送する。したがって、現在のグループ呼セッションに参加している１つ又は複数のＭＣＰＴＴグループ内の第２のメディアサーバのＭＣＰＴＴシステムに属するＭＣＰＴＴユーザがフロアを得た後に、ＭＣＰＴＴユーザはユーザプレーンデータ（たとえば、スピーチコンテンツ）を、１つ又は複数のＭＣＰＴＴグループが属するＭＣＰＴＴシステム内のメディアサーバ（つまり、第１のメディアサーバ）を使用して、１つ又は複数のＭＣＰＴＴグループ内の別のＭＣＰＴＴユーザへ転送することができ、それにより、複数のＭＣＰＴＴシステムが参加するグループ呼におけるユーザプレーンデータの伝送が実現される。
【０１０９】
図６は、本発明による、複数のＭＣＰＴＴシステムに関するフロア制御のための方法の実施例４の流れ図である。この実施例は、図１Ａ及び図１Ｂに示されたアプリケーションシナリオに適用される。図６に示されるように、この実施例における方法は下記のステップを含み得る。
【０１１０】
ステップ６０１：第１のネットワーク要素デバイスが、ＵＥ＿３及びＵＥ＿４によって送信されたフロア要求メッセージを受信する。
【０１１１】
ＵＥ＿３及びＵＥ＿４はＭＣＰＴＴシステム＿２に属し、第１のネットワーク要素デバイスはＭＣＰＴＴシステム＿２に属する。
【０１１２】
任意選択で、第１のネットワーク要素デバイスは、第２のフロア制御サーバ又は第２のメディアサーバとすることができる。
【０１１３】
第１のネットワーク要素デバイスがＵＥ＿３によって送信されたフロア要求メッセージを受信する時点と、第１のネットワーク要素デバイスがＵＥ＿４によって送信されたフロア要求メッセージを受信する時点とは、事前設定時間窓内のある時点でも、又は同一の時点でもよいことに留意されたい。
【０１１４】
ステップ６０２：第１のフロア制御サーバが、第１のネットワーク要素デバイスによって送信された第１のメッセージと、ＵＥ＿１によって送信されたフロア要求メッセージとを受信する。
【０１１５】
第１のメッセージは、ＵＥ＿３及びＵＥ＿４によって送信されたフロア要求メッセージに従って、第１のネットワーク要素デバイスによって決定され得る。第１のメッセージは、ＭＣＰＴＴ＿Ｕｓｅｒ３及びＭＣＰＴＴ＿Ｕｓｅｒ４のユーザ情報を含むことができ、或いは第１のメッセージは、ＭＣＰＴＴ＿Ｕｓｅｒ３及びＭＣＰＴＴ＿Ｕｓｅｒ４がそれぞれ属するＭＣＰＴＴグループのグループ情報を含むことができる。ＭＣＰＴＴ＿Ｕｓｅｒ３はＵＥ＿３の関連ユーザであり、ＭＣＰＴＴ＿Ｕｓｅｒ４はＵＥ＿４の関連ユーザである。
【０１１６】
任意選択で、ユーザ情報は次の、ユーザ識別子、ユーザロール、又はユーザ優先度情報、のうちの少なくとも１つを含む。
【０１１７】
ＭＣＰＴＴ＿Ｕｓｅｒ１及びＭＣＰＴＴ＿Ｕｓｅｒ２は、ＭＣＰＴＴシステム＿１に属する。ＭＣＰＴＴ＿Ｕｓｅｒ１はＵＥ＿１の関連ユーザであり、ＭＣＰＴＴ＿Ｕｓｅｒ２はＵＥ＿２の関連ユーザである。第１のフロア制御サーバは、ＭＣＰＴＴシステム＿１に属する。
【０１１８】
第１のフロア制御サーバが、ＵＥ＿１によって送信されたフロア要求メッセージを受信する時点と、第１のフロア制御サーバが、第１のネットワーク要素デバイスによって送信された第１のメッセージを受信する時点とは、事前設定時間窓内のある時点でも、又は同一の時点でもよいことに留意されたい。
【０１１９】
ステップ６０３：第１のフロア制御サーバが、第１のネットワーク要素デバイスによって送信された第１のメッセージと、ＵＥ＿１によって送信されたフロア要求メッセージと、フロア制御ポリシーとに従って、ＭＣＰＴＴシステム＿２に属するＭＣＰＴ＿Ｕｓｅｒ３がフロアを占有することを決定する。
【０１２０】
任意選択で、ステップ６０３におけるフロア制御ポリシーは、メッセージ（つまり、第１のメッセージ及びフロア要求メッセージ）の順序に基づいたポリシー、ユーザ優先度に基づいたポリシー、などとすることができる。
【０１２１】
たとえば、フロア制御ポリシーがユーザ優先度に基づいたポリシーであり、ＭＣＰＴ＿Ｕｓｅｒ３のロール優先度がＭＣＰＴＴ＿Ｕｓｅｒ４及びＭＣＰＴＴ＿ｕｓｅｒ１のロール優先度よりも高い場合、ＭＣＰＴＴ＿Ｕｓｅｒ３がフロアを占有することが決定される。
【０１２２】
ステップ６０４：第１のフロア制御サーバが、第２のメッセージを第１のネットワーク要素デバイスへ送信し、フロア応答メッセージをＵＥ＿１へ送信する。
【０１２３】
第２のメッセージは、ＭＣＰＴＴシステム＿２に属するＭＣＰＴＴ＿Ｕｓｅｒ３がフロアを占有することを示すために使用され、ＵＥ＿１へ送信されるフロア応答メッセージは、ＭＣＰＴＴ＿Ｕｓｅｒ１のフロア占有が拒否されていることを示すために使用される。
【０１２４】
第１のフロア制御サーバによって第２のメッセージを第１のネットワーク要素デバイスへ送信することと、第１のフロア制御サーバによってフロア応答メッセージをＵＥ＿１へ送信することとの間に順序はないことに留意されたい。
【０１２５】
ステップ６０５：第１のネットワーク要素デバイスが、フロア応答メッセージをＵＥ＿３及びＵＥ＿４へ第２のメッセージに従って送信する。
【０１２６】
ＵＥ＿３へ送信されるフロア応答メッセージは、ＭＣＰＴＴ＿Ｕｓｅｒ３がフロアを占有することを示すために使用され、ＵＥ＿４へ送信されるフロア応答メッセージは、ＭＣＰＴＴ＿Ｕｓｅｒ４のフロア占有が拒否されていることを示すために使用される。
【０１２７】
第１のネットワーク要素デバイスによってフロア応答メッセージをＵＥ＿３へ送信することと、第１のネットワーク要素デバイスによってフロア応答メッセージをＵＥ＿４へ送信することとの間に順序はないことに留意されたい。
【０１２８】
ステップ６０６：第２のメディアサーバが、ＵＥ＿３によって送信されたユーザプレーンデータを受信する。
【０１２９】
第２のメディアサーバはＭＣＰＴＴシステム＿２に属する。
【０１３０】
ステップ６０７：第２のメディアサーバが、ユーザプレーンデータをＵＥ＿４及び第１のメディアサーバへ送信する。
【０１３１】
第１のメディアサーバはＭＣＰＴＴシステム＿１に属する。
【０１３２】
ステップ６０８：第１のメディアサーバが、ユーザプレーンデータをＵＥ＿１及びＵＥ＿２へ送信する。
【０１３３】
この実施例には、複数のＭＣＰＴＴシステムに含まれる２つのＭＣＰＴＴシステムがあること、フロアを第１のネットワーク要素デバイスに要求する２つのＵＥがＭＣＰＴＴシステム＿２内にあること、並びに、フロアを第１のフロア制御サーバに要求する１つのＵＥがＭＣＰＴＴシステム＿１内にあることに留意されたい。これは例示的なものにすぎない。
【０１３４】
この実施例では、ＭＣＰＴＴ＿Ｕｓｅｒ１、ＭＣＰＴＴ＿Ｕｓｅｒ２、ＭＣＰＴＴ＿Ｕｓｅｒ３、及びＭＣＰＴＴ＿Ｕｓｅｒ４は、同じＭＣＰＴＴグループに属しても、異なるＭＣＰＴＴグループに属してもよく、同じＭＣＰＴＴグループ又は異なるＭＣＰＴＴグループは、ＭＣＰＴＴシステム＿１に属することに留意されたい。
【０１３５】
この実施例では、第１のフロア制御サーバが、第１のネットワーク要素デバイスによって送信された第１のメッセージ（第１のメッセージは、ＭＣＰＴＴ＿Ｕｓｅｒ３及びＭＣＰＴＴ＿Ｕｓｅｒ４のユーザ情報、又はＭＣＰＴＴ＿Ｕｓｅｒ３及びＭＣＰＴＴ＿Ｕｓｅｒ４が属するＭＣＰＴＴグループのグループ情報を含む）と、ＵＥ＿１によって送信されたフロア要求メッセージと、フロア制御ポリシーとに従って、ＭＣＰＴＴ＿Ｕｓｅｒ３がフロアを占有することを決定し、それにより、複数のＭＣＰＴＴシステムが参加するグループセッションにおけるフロア制御が実現される。更に、第２のメディアサーバが、ＵＥ＿３によって送信されたユーザプレーンデータを受信し、ユーザプレーンデータを第１のメディアサーバへ送信し、第１のメディアサーバは、ユーザプレーンデータをＵＥ＿１及びＵＥ＿２へ転送し、それにより、複数のＭＣＰＴＴシステムが参加するグループ呼におけるユーザプレーンデータの伝送が実現される。
【０１３６】
図７は、本発明による、複数のＭＣＰＴＴシステムに関するフロア制御のための方法の実施例５の流れ図である。この実施例は、図２に示されたアプリケーションシナリオに適用される。図７に示されるように、この実施例における方法は下記のステップを含み得る。
【０１３７】
ステップ７０１：第１のフロア制御サーバが、Ｎ個のネットワーク要素デバイスによって送信された第１のメッセージを受信し、第１のメッセージは、フロアを第１のフロア制御サーバに要求するために使用される。
【０１３８】
Ｎは１以上の整数であり、Ｎ個のネットワーク要素デバイスはそれぞれ、Ｎ個のＭＣＰＴＴシステムに属する。
【０１３９】
ネットワーク要素デバイスは、フロア制御サーバ又はメディアサーバとすることができる。
【０１４０】
図２に関連した実施例におけるネットワーク要素デバイスは、ＭＣＰＴＴグループが属するＭＣＰＴＴシステム内のネットワーク要素デバイスであることに留意されたい。
【０１４１】
ステップ７０２：第１のフロア制御サーバが、第１のメッセージ及びフロア制御ポリシーに従って、第１のＭＣＰＴＴシステムに属するＭＣＰＴＴグループ内のＭＣＰＴＴユーザがフロアを占有することを決定する。
【０１４２】
第１のＭＣＰＴＴシステムは、第１のネットワーク要素デバイスが属するＭＣＰＴＴシステムであり、第１のネットワーク要素デバイスは、Ｎ個のネットワーク要素デバイスのうちのネットワーク要素デバイスである。
【０１４３】
任意選択で、第１のネットワーク要素デバイスは、第２のフロア制御サーバ又は第２のメディアサーバである。
【０１４４】
任意選択で、フロア制御ポリシーは、メッセージを受信する順序に基づいたポリシーとすることができる。たとえば、第１のフロア制御サーバが最初に、ネットワーク要素デバイスＡによって送信された第１のメッセージを受信し、次に、ネットワーク要素デバイスＢによって送信された第１のメッセージを受信する場合、第１のフロア制御サーバは、第２のメッセージをネットワーク要素デバイスＡへ送信する。つまり、ネットワーク要素デバイスＡは第１のネットワーク要素デバイスになる。
【０１４５】
ステップ７０３：第１のフロア制御サーバが、第２のメッセージを第１のネットワーク要素デバイスへ送信し、第２のメッセージは、第１のＭＣＰＴＴシステムに属するＭＣＰＴＴグループ内のＭＣＰＴＴユーザがフロアを占有することを示すために使用される。
【０１４６】
この実施例では、Ｎ個のネットワーク要素デバイスによって送信された第１のメッセージを受信した後に、第１のフロア制御サーバが、Ｎ個のネットワーク要素デバイスによって送信された第１のメッセージ、及びフロア制御ポリシーに従って、第２のメッセージをＮ個のネットワーク要素デバイス中の第１のネットワーク要素デバイスへ送信することを決定する。第２のメッセージは、第１のＭＣＰＴＴシステムに属するＭＣＰＴＴグループ内のＭＣＰＴＴユーザがフロアを占有するために使用され、第１のＭＣＰＴＴシステムは、第１のネットワーク要素デバイスが属するＭＣＰＴＴシステムである。したがって、現在のグループ呼セッションに参加している複数のＭＣＰＴＴグループ中の１つのＭＣＰＴＴグループが属するＭＣＰＴＴシステム内の第１のフロア制御サーバは、別のＭＣＰＴＴシステムに属するＭＣＰＴＴグループ内のＭＣＰＴＴユーザのフロアを管理することができ、それにより、複数のＭＣＰＴＴシステムが参加するグループセッションにおけるフロア制御が実現される。
【０１４７】
任意選択で、ステップ７０２の後に、この方法は更に、第１のフロア制御サーバによって第３のメッセージを別のネットワーク要素デバイスへ送信することを含む。別のネットワーク要素デバイスは、Ｎ個のネットワーク要素デバイス中の、第１のネットワーク要素デバイスを除いたデバイスである。
【０１４８】
第３のメッセージは、第３のＭＣＰＴＴシステムに属するＭＣＰＴＴグループ内のＭＣＰＴＴユーザのフロア占有が拒否されていること、又は第３のメッセージがキュー情報を含むことを示すために使用される。キュー情報は、第３のＭＣＰＴＴシステムに属するＭＣＰＴＴグループ内のＭＣＰＴＴユーザによって占有されたフロアのキューイングを示すために使用され、第３のＭＣＰＴＴシステムは、別のネットワーク要素デバイスが属するＭＣＰＴＴグループである。
【０１４９】
図８は、本発明による、複数のＭＣＰＴＴシステムに関するフロア制御のための方法の実施例６の流れ図である。この実施例は、図２に示されたアプリケーションシナリオに適用される。図８に示されるように、この実施例における方法は下記のステップを含み得る。
【０１５０】
ステップ８０１：第１のネットワーク要素デバイスが、Ｋ個のＵＥによって送信されたフロア要求メッセージを受信する。
【０１５１】
Ｋは１以上の整数であり、第１のネットワーク要素デバイスは第１のＭＣＰＴＴシステムに属し、Ｋ人のＭＣＰＴＴユーザがそれぞれＫ個のＵＥと関連付けられており、Ｋ人のＭＣＰＴＴユーザがそれぞれ属するＭＣＰＴＴグループは第１のＭＣＰＴＴシステムに属する。
【０１５２】
任意選択で、第１のネットワーク要素デバイスは、第２のフロア制御サーバ又は第２のメディアサーバである。
【０１５３】
ステップ８０２：第１のネットワーク要素デバイスが、第１のメッセージを第１のフロア制御サーバへ、Ｋ個のＵＥによって送信されたフロア要求メッセージに従って送信し、第１のメッセージは、フロアを第１のフロア制御サーバに要求するために使用される。
【０１５４】
ステップ８０３：第１のネットワーク要素デバイスが、第１のフロア制御サーバによって送信された第２のメッセージを受信し、第２のメッセージは、第１のＭＣＰＴＴシステムに属するＭＣＰＴＴグループ内のＭＣＰＴＴユーザがフロアを占有することを示すために使用される。
【０１５５】
ステップ８０４：第１のネットワーク要素デバイスが、第２のメッセージに従って、第１のＭＣＰＴＴユーザがフロアを占有することを決定する。
【０１５６】
第１のＭＣＰＴＴユーザは第１のＵＥの関連ユーザであり、第１のＵＥはＮ個のＵＥ中のＵＥである。
【０１５７】
ステップ８０５：第１のネットワーク要素デバイスが、フロア応答メッセージを第１のＵＥへ送信し、フロア応答メッセージは、第１のＭＣＰＴＴユーザがフロアを占有することを示すために使用される。
【０１５８】
この実施例では、Ｋ個のＵＥによって送信されたフロア要求メッセージを受信した後に、第１のネットワーク要素デバイスが第１のメッセージを第１のフロア制御サーバへ、Ｋ個のＵＥによって送信されたフロア要求メッセージに従って送信する。第１のメッセージは、フロアを第１のフロア制御サーバに要求するために使用され、第１のネットワーク要素デバイスは、第１のフロア制御サーバによって送信された第２のメッセージを受信する。第２のメッセージは、第１のＭＣＰＴＴシステムに属するＭＣＰＴＴグループ内のＭＣＰＴＴユーザがフロアを占有することを示すために使用され、第１のネットワーク要素デバイスは、フロア応答メッセージを第１のＵＥへ第２のメッセージに従って送信する。フロア応答メッセージは、第１のＭＣＰＴＴユーザがフロアを占有することを示すために使用され、第１のＭＣＰＴＴシステムは、第１のネットワーク要素デバイスが属するＭＣＰＴＴシステムである。したがって、現在のグループ呼セッションに参加している複数のＭＣＰＴＴグループ中の１つのＭＣＰＴＴグループが属するＭＣＰＴＴシステム内の第１のフロア制御サーバは、別のＭＣＰＴＴシステムに属するＭＣＰＴＴグループ内のＭＣＰＴＴユーザのフロアを管理することができ、それにより、複数のＭＣＰＴＴシステムが参加するグループセッションにおけるフロア制御が実現される。
【０１５９】
図９は、本発明による、複数のＭＣＰＴＴシステムに関するフロア制御のための方法の実施例７の流れ図である。図９に示されるように、図７及び図８に示された実施例に基づいて、この実施例は更に下記のステップを含み得る。
【０１６０】
ステップ９０１：第２のメディアサーバが、第１のＵＥによって送信されたユーザプレーンデータを受信する。
【０１６１】
ステップ９０２：第２のメディアサーバが、ユーザプレーンデータを第１のメディアサーバへ送信し、それにより第１のメディアサーバは、ユーザプレーンデータを転送する。
【０１６２】
第１のフロア制御サーバが属するＭＣＰＴＴシステムは、第１のメディアサーバを含む。
【０１６３】
本発明のこの実施例では、第１のＵＥによって送信されたユーザプレーンデータを受信した後に、第２のメディアサーバが、ユーザプレーンデータを第１のメディアサーバへ送信し、それにより第１のメディアサーバは、ユーザプレーンデータを転送する。したがって、現在のグループ呼セッションに参加している１つ又は複数のＭＣＰＴＴグループ内の第２のメディアサーバのＭＣＰＴＴシステムに属するＭＣＰＴＴユーザがフロアを得た後に、ＭＣＰＴＴユーザはユーザプレーンデータ（たとえば、スピーチコンテンツ）を、第１のメディアサーバを使用して別のＭＣＰＴＴグループ内のＭＣＰＴＴユーザへ転送することができ、それにより、複数のＭＣＰＴＴシステムが参加するグループ呼におけるユーザプレーンデータの伝送が実現される。
【０１６４】
図１０は、本発明による、複数のＭＣＰＴＴシステムに関するフロア制御のための方法の実施例８の流れ図である。図１０に示されるように、図７及び図８に示された実施例に基づいて、この実施例は更に下記のステップを含み得る。
【０１６５】
ステップ１００１：第１のメディアサーバが、第２のメディアサーバによって送信された第１のＵＥのユーザプレーンデータを受信する。
【０１６６】
第１のフロア制御サーバが属するＭＣＰＴＴシステムは、第１のメディアサーバを含む。
【０１６７】
ステップ１００２：第１のメディアサーバが、ユーザプレーンデータを転送する。
【０１６８】
本発明のこの実施例では、第２のメディアサーバによって送信された第１のＵＥのユーザプレーンデータを受信した後、第１のメディアサーバはユーザプレーンデータを転送し、それにより、現在のグループ呼セッションに参加しているＭＣＰＴＴグループ内のＭＣＰＴＴユーザがフロアを得た後に生成されたユーザプレーンデータ（たとえば、スピーチコンテンツ）は、第１のメディアサーバを使用して、別のＭＣＰＴＴグループ内のＭＣＰＴＴユーザへ転送されることができ、それにより、複数のＭＣＰＴＴシステムが参加するグループ呼におけるユーザプレーンデータの伝送が実現される。
【０１６９】
任意選択で、第１のメディアサーバによってユーザプレーンデータを転送することは、
第１のメディアサーバによって、ユーザプレーンデータを第２のＵＥへ送信することを含む。第２のＵＥの関連ユーザは、第１のフロア制御サーバが属するＭＣＰＴＴシステム属しているＭＣＰＴＴグループ内のＭＣＰＴＴユーザである。
【０１７０】
任意選択で、第２のＵＥが属するＭＣＰＴＴシステムが、第１のフロア制御サーバが属するＭＣＰＴＴシステムと異なる場合、第１のメディアサーバによって、ユーザプレーンデータを第２のＵＥへ送信することは、
第１のメディアサーバによって、ユーザプレーンデータを直接第２のＵＥへ送信すること、又は
第１のメディアサーバによって、ユーザプレーンデータを、第３のメディアサーバを使用して第２のＵＥへ送信することを含む。
【０１７１】
第２のＵＥが属するＭＣＰＴＴシステムは、第３のメディアサーバを含む。
【０１７２】
任意選択で、第１のメディアサーバによってユーザプレーンデータを転送するステップは、
第１のメディアサーバによって、ユーザプレーンデータを第４のメディアサーバへ送信することを更に含み、それにより、第４のメディアサーバはユーザプレーンデータを第３のＵＥへ転送する。
【０１７３】
第３のＵＥの関連ユーザは、第２のＭＣＰＴＴシステムに属するＭＣＰＴＴグループ内のＭＣＰＴＴユーザであり、第２のＭＣＰＴＴシステムは第４のメディアサーバを含む。
【０１７４】
図１１は、本発明による、複数のＭＣＰＴＴシステムに関するフロア制御のための方法の実施例９の流れ図である。この実施例は、図２に示されたアプリケーションシナリオに適用される。図１１に示されるように、この実施例は下記のステップを含み得る。
【０１７５】
ステップ１１０１：第２のフロア制御サーバが、ＵＥ＿３及びＵＥ＿４によって送信されたフロア要求メッセージを受信する。
【０１７６】
ＵＥ＿３の関連ユーザはＭＣＰＴＴ＿Ｕｓｅｒ３であり、ＵＥ＿４の関連ユーザはＭＣＰＴＴ＿Ｕｓｅｒ４である。ＭＣＰＴＴ＿Ｕｓｅｒ３及びＭＣＰＴＴ＿Ｕｓｅｒ４がそれぞれ属するＭＣＰＴＴグループは、ＭＣＰＴＴシステム＿２に属する。第２のフロア制御サーバは、ＭＣＰＴＴシステム＿２に属する。
【０１７７】
第２のフロア制御サーバが、ＵＥ＿３によって送信されたフロア要求メッセージを受信する時点と、第２のフロア制御サーバが、ＵＥ＿４によって送信されたフロア要求メッセージを受信する時点とは、事前設定時間窓内のある時点でも、又は同一の時点でもよいことに留意されたい。
【０１７８】
ステップ１１０２：第１のフロア制御サーバが、第２のフロア制御サーバによって送信された第１のメッセージと、ＵＥ＿１によって送信されたフロア要求メッセージとを受信する。
【０１７９】
第１のメッセージは、ＵＥ＿３及びＵＥ＿４によって送信されたフロア要求メッセージに従って、第２のフロア制御サーバによって決定され得る。第１のメッセージは、ＭＣＰＴＴ＿Ｕｓｅｒ３及びＭＣＰＴＴ＿Ｕｓｅｒ４がそれぞれ属するＭＣＰＴＴグループのグループ情報を含むことができる。
【０１８０】
任意選択で、グループ情報は、グループ識別子及び／又はグループ優先度を含む。
【０１８１】
ＵＥ＿１の関連ユーザはＭＣＰＴＴ＿Ｕｓｅｒ１であり、ＵＥ＿２の関連ユーザはＭＣＰＴＴ＿Ｕｓｅｒ２である。ＭＣＰＴＴ＿Ｕｓｅｒ１及びＭＣＰＴＴ＿Ｕｓｅｒ２がそれぞれ属するＭＣＰＴＴグループは、ＭＣＰＴＴシステム＿１に属する。第１のフロア制御サーバは、ＭＣＰＴＴシステム＿１に属する。
【０１８２】
第１のフロア制御サーバが、ＵＥ＿１によって送信されたフロア要求メッセージを受信する時点と、第１のフロア制御サーバが、第２のフロア制御サーバによって送信された第１のメッセージを受信する時点とは、事前設定時間窓内のある時点でも、又は同一の時点でもよいことに留意されたい。
【０１８３】
ステップ１１０３：第１のフロア制御サーバは、第２のフロア制御サーバによって送信された第１のメッセージと、ＵＥ＿１によって送信されたフロア要求メッセージと、フロア制御ポリシーとに従って、ＭＣＰＴＴシステム＿２に属する第１のＭＣＰＴＴグループ内のＭＣＰＴＴユーザがフロアを占有することを決定する。
【０１８４】
第１のＭＣＰＴＴグループは、ＭＣＰＴＴ＿Ｕｓｅｒ３が属するグループである。
【０１８５】
任意選択で、ステップ１１０３におけるフロア制御ポリシーは、グループ優先度に基づいたポリシーとすることができる。
【０１８６】
第１のフロア制御サーバによって、第２のフロア制御サーバによって送信された第１のメッセージと、ＵＥ＿１によって送信されたフロア要求メッセージと、フロア制御ポリシーとに従って、ＭＣＰＴＴシステム＿２に属する第１のＭＣＰＴＴグループ内のＭＣＰＴＴユーザがフロアを占有すると決定することは、
第１のフロア制御サーバによって、ＵＥ＿１によって送信されたフロア要求メッセージに従って、フロアを第１のフロア制御サーバに要求するＭＣＰＴＴ＿ｕｓｅｒ１が属するＭＣＰＴＴグループのグループ情報を決定すること、及び
第１のフロア制御サーバによって、第２のフロア制御サーバによって送信された第１のメッセージと、ＭＣＰＴＴ＿ｕｓｅｒ１が属するＭＣＰＴＴグループのグループ情報と、フロア制御ポリシーとに従って、ＭＣＰＴＴシステム＿２に属する第１のＭＣＰＴＴグループ内のＭＣＰＴＴユーザがフロアを占有すると決定することを含む。
【０１８７】
ステップ１１０４：第１のフロア制御サーバが、第２のメッセージを第２のフロア制御サーバへ送信し、フロア応答メッセージをＵＥ＿１へ送信する。
【０１８８】
第２のメッセージは、ＭＣＰＴＴシステム＿２に属する第１のＭＣＰＴＴグループ内のＭＣＰＴＴユーザがフロアを占有することを示すために使用され、ＵＥ＿１へ送信されるフロア応答メッセージは、ＭＣＰＴＴ＿ｕｓｅｒ１のフロア占有が拒否されていることを示すために使用される。
【０１８９】
第１のフロア制御サーバによって第２のメッセージを第２のフロア制御サーバへ送信することと、第１のフロア制御サーバによってフロア応答メッセージをＵＥ＿１へ送信することとの間に順序はないことに留意されたい。
【０１９０】
ステップ１１０５：第２のフロア制御サーバが、第２のメッセージ及びフロア制御ポリシーに従って、ＭＣＰＴＴ＿ｕｓｅｒ３がフロアを占有することを決定する。
【０１９１】
任意選択で、ステップ１１０５におけるフロア制御ポリシーは、フロア要求メッセージを受信する順序に基づいたポリシー、又はユーザ優先度に基づいたポリシーとすることができる。
【０１９２】
たとえば、フロア制御ポリシーが、フロア要求メッセージを受信する順序に基づいたポリシーである場合、ＭＣＰＴＴ＿ｕｓｅｒ３とＭＣＰＴＴ＿ｕｓｅｒ４の両方が第１のＭＣＰＴＴグループに属する。第２のフロア制御サーバがＵＥ＿３によって送信されたフロア要求メッセージを受信する時刻の方が、ＵＥ＿４によって送信されたフロア要求メッセージを受信する時刻よりも早い場合、ＭＣＰＴＴ＿ｕｓｅｒ３がフロアを占有することが決定される。
【０１９３】
たとえば、フロア制御ポリシーがユーザ優先度に基づいたポリシーであり、ＭＣＰＴＴ＿ｕｓｅｒ３とＭＣＰＴＴ＿ｕｓｅｒ４の両方が第１のＭＣＰＴＴグループに属し、かつＭＣＰＴＴ＿ｕｓｅｒ３の優先度がＭＣＰＴＴ＿ｕｓｅｒ４の優先度よりも高い場合、ＭＣＰＴＴ＿ｕｓｅｒ３がフロアを占有することが決定される。
【０１９４】
ステップ１１０６：第２のフロア制御サーバが、フロア応答メッセージをＵＥ＿３及びＵＥ＿４へ送信する。
【０１９５】
ＵＥ＿３へ送信されるフロア応答メッセージは、ＭＣＰＴＴ＿ｕｓｅｒ３がフロアを占有することを示すために使用され、ＵＥ＿４へ送信されるフロア応答メッセージは、ＭＣＰＴＴ＿ｕｓｅｒ４のフロア占有が拒否されていることを示すために使用される。
【０１９６】
第２のフロア制御サーバによってフロア応答メッセージをＵＥ＿３へ送信することと、第２のフロア制御サーバによってフロア応答メッセージをＵＥ＿４へ送信することとの間に順序はないことに留意されたい。
【０１９７】
ステップ１１０７：第２のメディアサーバが、ＵＥ＿３によって送信されたユーザプレーンデータを受信する。
【０１９８】
第２のメディアサーバはＭＣＰＴＴシステム＿２に属する。
【０１９９】
ステップ１１０８：第２のメディアサーバが、ユーザプレーンデータをＵＥ＿４及び第１のメディアサーバへ送信する。
【０２００】
第１のメディアサーバはＭＣＰＴＴシステム＿１に属する。
【０２０１】
ステップ１１０９：第１のメディアサーバが、ユーザプレーンデータをＵＥ＿１及びＵＥ＿２へ送信する。
【０２０２】
この実施例には、複数のＭＣＰＴＴシステムに含まれる２つのＭＣＰＴＴシステムがあること、フロアを第２のフロア制御サーバに要求する２つのＵＥがＭＣＰＴＴシステム＿２内にあること、並びに、フロアを第１のフロア制御サーバに要求する１つのＵＥがＭＣＰＴＴシステム＿１内にあることに留意されたい。これは例示的なものにすぎない。
【０２０３】
この実施例では、第１のフロア制御サーバが、第２のフロア制御サーバによって送信された第１のメッセージ（第１のメッセージは、ＭＣＰＴＴ＿Ｕｓｅｒ３及びＭＣＰＴＴ＿Ｕｓｅｒ４がそれぞれ属するＭＣＰＴＴグループのグループ情報を含む）と、ＵＥ＿１によって送信されたフロア要求メッセージと、フロア制御ポリシーとに従って、ＭＣＰＴＴシステム＿２に属する第１のＭＣＰＴＴグループ内のＭＣＰＴＴユーザがフロアを占有することを決定する。第２のフロア制御サーバは、第１のフロア制御サーバによって送信された、かつＭＣＰＴＴシステム＿２に属する第１のＭＣＰＴＴグループ内のＭＣＰＴＴユーザがフロアを占有することを示すために使用される、第２のメッセージを受信すると共に、第２のメッセージ及びフロア制御ポリシーに従って、ＭＣＰＴＴ＿Ｕｓｅｒ３がフロアを占有することを決定し、それにより、複数のＭＣＰＴＴシステムが参加するグループセッションにおけるフロア制御が実現される。更に、第２のメディアサーバが、ＵＥ＿３によって送信されたユーザプレーンデータを受信し、ユーザプレーンデータを第１のメディアサーバへ送信し、第１のメディアサーバは、ユーザプレーンデータをＵＥ＿１及びＵＥ＿２へ転送し、それにより、複数のＭＣＰＴＴシステムが参加するグループ呼におけるユーザプレーンデータの伝送が実現される。
【０２０４】
図１２は、本発明による、複数のＭＣＰＴＴシステムに関するフロア制御のための方法の実施例１０の流れ図である。この実施例は、図２に示されたアプリケーションシナリオに適用される。図１２に示されるように、この実施例は下記のステップを含み得る。
【０２０５】
ステップ１２０１：第２のフロア制御サーバが、ＵＥ＿３及びＵＥ＿４によって送信されたフロア要求メッセージを受信する。
【０２０６】
ステップ１２０１はステップ１１０１と同様であり、詳細について本明細書では説明されないことに留意されたい。
【０２０７】
ステップ１２０２：第２のフロア制御サーバが、ＵＥ＿３及びＵＥ＿４によって送信されたフロア要求メッセージと、フロア制御ポリシーとに従って第１のメッセージを決定する。
【０２０８】
第１のメッセージは、フロアを第２のフロア制御サーバに要求するＭＣＰＴＴ＿ｕｓｅｒ３のユーザ情報を含み、ＭＣＰＴＴ＿ｕｓｅｒ３はＵＥ＿３の関連ユーザである。
【０２０９】
任意選択で、ユーザ情報は次の、ユーザ識別子、ユーザロール、又はユーザ優先度情報、のうちの少なくとも１つを含む。
【０２１０】
任意選択で、ステップ１２０２におけるフロア制御ポリシーは、メッセージを受信する順序に基づいたポリシー、ユーザ優先度に基づいたポリシー、などとすることができる。
【０２１１】
ステップ１２０３：第１のフロア制御サーバが、第２のフロア制御サーバによって送信された第１のメッセージと、ＵＥ＿１によって送信されたフロア要求メッセージとを受信する。
【０２１２】
ステップ１２０３はステップ１１０２と同様であり、詳細について本明細書では説明されないことに留意されたい。
【０２１３】
ステップ１２０４：第１のフロア制御サーバが、第２のフロア制御サーバによって送信された第１のメッセージと、ＵＥ＿１によって送信されたフロア要求メッセージと、フロア制御ポリシーとに従って、ＭＣＰＴＴシステム＿２に属するＭＣＰＴＴグループ内のＭＣＰＴＴ＿ｕｓｅｒ３がフロアを占有することを決定する。
【０２１４】
任意選択で、ステップ１２０４におけるフロア制御ポリシーは、ユーザ優先度に基づいたポリシーとすることができる。
【０２１５】
任意選択で、第１のフロア制御サーバは、第１のメッセージに含まれるユーザ識別子に従って、ユーザ識別子に対応するユーザロールを決定することができ、更にユーザ優先度を決定する。
【０２１６】
ステップ１２０５：第１のフロア制御サーバが、第２のメッセージを第２のフロア制御サーバへ送信し、フロア応答メッセージをＵＥ＿１へ送信する。
【０２１７】
第２のメッセージは、ＭＣＰＴＴシステム＿２に属するＭＣＰＴＴグループ内のＭＣＰＴＴ＿ｕｓｅｒ３がフロアを占有することを示すために使用され、ＵＥ＿１へ送信されるフロア応答メッセージは、ＭＣＰＴＴ＿ｕｓｅｒ１のフロア占有が拒否されていることを示すために使用される。
【０２１８】
第１のフロア制御サーバによって第２のメッセージを第２のフロア制御サーバへ送信することと、第１のフロア制御サーバによってフロア応答メッセージをＵＥ＿１へ送信することとの間に順序はないことに留意されたい。
【０２１９】
ステップ１２０６：第２のフロア制御サーバが、第２のメッセージに従って、ＭＣＰＴＴ＿ｕｓｅｒ３がフロアを占有することを決定し、フロア応答メッセージをＵＥ＿３及びＵＥ＿４へ送信する。
【０２２０】
ＵＥ＿３へ送信されるフロア応答メッセージは、ＭＣＰＴＴ＿ｕｓｅｒ３がフロアを占有することを示すために使用され、ＵＥ＿４へ送信されるフロア応答メッセージは、ＭＣＰＴＴ＿ｕｓｅｒ４のフロア占有が拒否されていることを示すために使用される。
【０２２１】
第２のフロア制御サーバによってフロア応答メッセージをＵＥ＿３へ送信することと、第２のフロア制御サーバによってフロア応答メッセージをＵＥ＿４へ送信することとの間に順序はないことに留意されたい。
【０２２２】
ステップ１２０７：第２のメディアサーバが、ＵＥ＿３によって送信されたユーザプレーンデータを受信する。
【０２２３】
ステップ１２０８：第２のメディアサーバが、ユーザプレーンデータをＵＥ＿４及び第１のメディアサーバへ送信する。
【０２２４】
ステップ１２０９：第１のメディアサーバが、ユーザプレーンデータをＵＥ＿１及びＵＥ＿２へ送信する。
【０２２５】
ステップ１２０７から１２０９はそれぞれ、ステップ１１０７から１１０９と同様であり、詳細について本明細書では説明されないことに留意されたい。
【０２２６】
この実施例では、第１のフロア制御サーバが、第２のフロア制御サーバによって送信された第１のメッセージ（第１のメッセージは、ＭＣＰＴＴ＿Ｕｓｅｒ３のユーザ情報を含む）と、ＵＥ＿１によって送信されたフロア要求メッセージと、フロア制御ポリシーとに従って、ＭＣＰＴＴシステム＿２に属するＭＣＰＴＴグループ内のＭＣＰＴＴ＿ｕｓｅｒ３がフロアを占有することを決定する。第２のフロア制御サーバは、第１のフロア制御サーバによって送信された、かつＭＣＰＴＴシステム＿２に属するＭＣＰＴＴグループ内のＭＣＰＴＴ＿ｕｓｅｒ３がフロアを占有することを示すために使用される、第２のメッセージを受信すると共に、第２のメッセージに従って、ＭＣＰＴＴ＿Ｕｓｅｒ３がフロアを占有することを決定し、それにより、複数のＭＣＰＴＴシステムが参加するグループセッションにおけるフロア制御が実現される。更に、第２のメディアサーバが、ＵＥ＿３によって送信されたユーザプレーンデータを受信し、ユーザプレーンデータを第１のメディアサーバへ送信し、第１のメディアサーバは、ユーザプレーンデータをＵＥ＿１及びＵＥ＿２へ転送し、それにより、複数のＭＣＰＴＴシステムが参加するグループ呼におけるユーザプレーンデータの伝送が実現される。
【０２２７】
図１３は、本発明による、複数のＭＣＰＴＴシステムに関するフロア制御のための方法の実施例１１の流れ図である。この実施例は、図２に示されたアプリケーションシナリオに適用される。図１３に示されるように、この実施例は下記のステップを含み得る。
【０２２８】
ステップ１３０１：第２のフロア制御サーバが、ＵＥ＿３及びＵＥ＿４によって送信されたフロア要求メッセージを受信する。
【０２２９】
ステップ１３０１はステップ１２０１と同様であり、詳細について本明細書では説明されないことに留意されたい。
【０２３０】
ステップ１３０２：第２のフロア制御サーバが、ＵＥ＿３及びＵＥ＿４によって送信されたフロア要求メッセージと、フロア制御ポリシーとに従って第１のメッセージを決定する。
【０２３１】
第１のメッセージは、フロアを第２のフロア制御サーバに要求するＭＣＰＴＴ＿ｕｓｅｒ３及びＭＣＰＴＴ＿ｕｓｅｒ４がそれぞれ属する、ＭＣＰＴＴグループ内の第１のＭＣＰＴＴグループのグループ情報を含む。ＭＣＰＴＴ＿ｕｓｅｒ３はＵＥ＿３の関連ユーザであり、ＭＣＰＴＴ＿ｕｓｅｒ４はＵＥ＿４の関連ユーザである。第１のＭＣＰＴＴグループは、ＭＣＰＴＴ＿ｕｓｅｒ３が属するグループである。
【０２３２】
任意選択で、グループ情報は、グループ識別子及び／又はグループ優先度を含む。
【０２３３】
任意選択で、ステップ１３０２におけるフロア制御ポリシーは、メッセージを受信する順序に基づいたポリシー、ユーザ優先度に基づいたポリシー、などとすることができる。
【０２３４】
ステップ１３０３：第１のフロア制御サーバが、第２のフロア制御サーバによって送信された第１のメッセージと、ＵＥ＿１によって送信されたフロア要求メッセージとを受信する。
【０２３５】
ステップ１３０３はステップ１２０２と同様であり、詳細について本明細書では説明されないことに留意されたい。
【０２３６】
ステップ１３０４：第１のフロア制御サーバが、第２のフロア制御サーバによって送信された第１のメッセージと、ＵＥ＿１によって送信されたフロア要求メッセージと、フロア制御ポリシーとに従って、ＭＣＰＴＴシステム＿２に属する第１のＭＣＰＴＴグループ内のＭＣＰＴＴユーザがフロアを占有することを決定する。
【０２３７】
任意選択で、ステップ１３０４におけるフロア制御ポリシーは、グループ優先度に基づいたポリシーとすることができる。
【０２３８】
ステップ１３０５：第１のフロア制御サーバが、第２のメッセージを第２のフロア制御サーバへ送信し、フロア応答メッセージをＵＥ＿１へ送信する。
【０２３９】
第２のメッセージは、ＭＣＰＴＴシステム＿２に属する第１のＭＣＰＴＴグループ内のＭＣＰＴＴユーザがフロアを占有することを示すために使用され、ＵＥ＿１へ送信されるフロア応答メッセージは、ＭＣＰＴＴ＿ｕｓｅｒ１のフロア占有が拒否されていることを示すために使用される。
【０２４０】
第１のフロア制御サーバによって第２のメッセージを第２のフロア制御サーバへ送信することと、第１のフロア制御サーバによってフロア応答メッセージをＵＥ＿１へ送信することとの間に順序はないことに留意されたい。
【０２４１】
ステップ１３０６：第２のフロア制御サーバが、第２のメッセージ及びフロア制御ポリシーに従って、ＭＣＰＴＴ＿ｕｓｅｒ３がフロアを占有することを決定する。
【０２４２】
任意選択で、ステップ１３０６におけるフロア制御ポリシーは、メッセージを受信する順序に基づいたポリシー、ユーザ優先度に基づいたポリシー、などとすることができる。
【０２４３】
ステップ１３０７：第２のフロア制御サーバが、フロア応答メッセージをＵＥ＿３及びＵＥ＿４へ送信する。
【０２４４】
ＵＥ＿３へ送信されるフロア応答メッセージは、ＭＣＰＴＴ＿ｕｓｅｒ３がフロアを占有することを示すために使用され、ＵＥ＿４へ送信されるフロア応答メッセージは、ＭＣＰＴＴ＿ｕｓｅｒ４のフロア占有が拒否されていることを示すために使用される。
【０２４５】
第２のフロア制御サーバによってフロア応答メッセージをＵＥ＿３へ送信することと、第２のフロア制御サーバによってフロア応答メッセージをＵＥ＿４へ送信することとの間に順序はないことに留意されたい。
【０２４６】
ステップ１３０８：第２のメディアサーバが、ＵＥ＿３によって送信されたユーザプレーンデータを受信する。
【０２４７】
ステップ１３０９：第２のメディアサーバが、ユーザプレーンデータをＵＥ＿４及び第１のメディアサーバへ送信する。
【０２４８】
ステップ１３１０：第１のメディアサーバが、ユーザプレーンデータをＵＥ＿１及びＵＥ＿２へ送信する。
【０２４９】
ステップ１３０８から１３１０はそれぞれ、ステップ１２０７から１２０９と同様であり、詳細についてここでは説明されないことに留意されたい。
【０２５０】
この実施例では、第１のフロア制御サーバが、第２のフロア制御サーバによって送信された第１のメッセージ（第１のメッセージは、第１のＭＣＰＴＴグループのグループ情報を含む）と、ＵＥ＿１によって送信されたフロア要求メッセージと、フロア制御ポリシーとに従って、ＭＣＰＴＴシステム＿２に属する第１のＭＣＰＴＴグループ内のＭＣＰＴＴユーザがフロアを占有することを決定する。第２のフロア制御サーバは、第１のフロア制御サーバによって送信された、かつＭＣＰＴＴシステム＿２に属する第１のＭＣＰＴＴグループ内のＭＣＰＴＴユーザがフロアを占有することを示すために使用される、第２のメッセージを受信すると共に、第２のメッセージ及びフロア制御ポリシーに従って、ＭＣＰＴＴ＿Ｕｓｅｒ３がフロアを占有することを決定し、それにより、複数のＭＣＰＴＴシステムが参加するグループセッションにおけるフロア制御が実現される。更に、第２のメディアサーバが、ＵＥ＿３によって送信されたユーザプレーンデータを受信し、ユーザプレーンデータを第１のメディアサーバへ送信し、第１のメディアサーバは、ユーザプレーンデータをＵＥ＿１及びＵＥ＿２へ転送し、それにより、複数のＭＣＰＴＴシステムが参加するグループ呼におけるユーザプレーンデータの伝送が実現される。
【０２５１】
図１４は、本発明による、複数のＭＣＰＴＴシステムに関するフロア制御のための方法の実施例１２の流れ図である。この実施例は、図２に示されたアプリケーションシナリオに適用される。図１４に示されるように、この実施例は下記のステップを含み得る。
【０２５２】
ステップ１４０１：第２のフロア制御サーバが、ＵＥ＿３及びＵＥ＿４によって送信されたフロア要求メッセージを受信する。
【０２５３】
ＵＥ＿３の関連ユーザはＭＣＰＴＴ＿ｕｓｅｒ３であり、ＵＥ＿４の関連ユーザはＭＣＰＴＴ＿ｕｓｅｒ４である。ＭＣＰＴＴ＿ｕｓｅｒ３が属するＭＣＰＴＴシステムはＭＣＰＴＴシステム２であり、ＭＣＰＴＴ＿Ｕｓｅｒ４が属するＭＣＰＴＴシステムは、ＭＣＰＴＴシステム＿３である。
【０２５４】
任意選択で、第２のフロア制御サーバによって、ＵＥ＿４によって送信されたフロア要求メッセージを受信することは、具体的には、
第２のフロア制御サーバによって、ＵＥ＿４から直接第２のフロア制御サーバへ送信されるフロア要求メッセージを受信すること、又は
第２のフロア制御サーバによって、ＵＥ＿４からフロア制御サーバＢを使用して第２のフロア制御サーバへ送信されるフロア要求メッセージを受信することを含む。
【０２５５】
フロア制御サーバＢはＭＣＰＴＴシステム＿３に属する。
【０２５６】
ステップ１４０２：第１のフロア制御サーバが、第２のフロア制御サーバによって送信された第１のメッセージと、ＵＥ＿１によって送信されたフロア要求メッセージとを受信する。
【０２５７】
ＵＥ＿１の関連ユーザはＭＣＰＴＴ＿ｕｓｅｒ１であり、ＭＣＰＴＴ＿ｕｓｅｒ１が属するＭＣＰＴＴシステムはＭＣＰＴＴシステム＿４である。
【０２５８】
任意選択で、第１のフロア制御サーバによって、ＵＥ＿１によって送信されたフロア要求メッセージを受信することは、具体的には、
第１のフロア制御サーバによって、ＵＥ＿１から直接第１のフロア制御サーバへ送信されるフロア要求メッセージを受信すること、又は
第１のフロア制御サーバによって、ＵＥ＿１からフロア制御サーバＡを使用して第１のフロア制御サーバへ送信されるフロア要求メッセージを受信することを含む。
【０２５９】
フロア制御サーバＡはＭＣＰＴＴシステム＿４に属する。
【０２６０】
ステップ１４０３：第１のフロア制御サーバが、第２のフロア制御サーバによって送信された第１のメッセージと、ＵＥ＿１によって送信されたフロア要求メッセージと、フロア制御ポリシーとに従って、ＭＣＰＴＴシステム＿２に属する第１のＭＣＰＴＴグループ内のＭＣＰＴＴユーザがフロアを占有することを決定する。
【０２６１】
ステップ１４０３はステップ１１０３と同様であり、詳細について本明細書では説明されないことに留意されたい。
【０２６２】
ステップ１４０４：第１のフロア制御サーバが、第２のメッセージを第２のフロア制御サーバへ送信し、フロア応答メッセージをＵＥ＿１へ送信する。
【０２６３】
第１のフロア制御サーバによってフロア応答メッセージをＵＥ＿１へ送信することは、具体的には、
第１のフロア制御サーバによってフロア応答メッセージを直接ＵＥ＿１へ送信すること、又は
第１のフロア制御サーバによってフロア応答メッセージを、フロア制御サーバＡを使用してＵＥ＿１へ送信することを含む。
【０２６４】
ステップ１４０５：第２のフロア制御サーバが、第２のメッセージ及びフロア制御ポリシーに従って、ＭＣＰＴＴ＿ｕｓｅｒ３がフロアを占有することを決定する。
【０２６５】
ステップ１４０５はステップ１１０５と同様であり、詳細について本明細書では説明されないことに留意されたい。
【０２６６】
ステップ１４０６：第２のフロア制御サーバが、フロア応答メッセージをＵＥ＿３及びＵＥ＿４へ送信する。
【０２６７】
ＵＥ＿３へ送信されるフロア応答メッセージは、ＭＣＰＴＴ＿ｕｓｅｒ３がフロアを占有することを示すために使用され、ＵＥ＿４へ送信されるフロア応答メッセージは、ＭＣＰＴＴ＿ｕｓｅｒ４のフロア占有が拒否されていることを示すために使用される。
【０２６８】
任意選択で、第２のフロア制御サーバによってフロア応答メッセージをＵＥ＿４へ送信することは、具体的には、
第２のフロア制御サーバによってフロア応答メッセージを直接ＵＥ＿４へ送信すること、又は
第２のフロア制御サーバによってフロア応答メッセージを、フロア制御サーバＢを使用してＵＥ＿４へ送信することを含む。
【０２６９】
ステップ１４０７：第２のメディアサーバが、ＵＥ＿３によって送信されたユーザプレーンデータを受信する。
【０２７０】
ステップ１４０７はステップ１１０７と同様であり、詳細について本明細書では説明されないことに留意されたい。
【０２７１】
ステップ１４０８：第２のメディアサーバが、ユーザプレーンデータをＵＥ＿４及び第１のメディアサーバへ送信する。
【０２７２】
任意選択で、第２のメディアサーバによってユーザプレーンデータをＵＥ＿４へ送信することは、具体的には、
第２のメディアサーバによってユーザプレーンデータを直接ＵＥ＿４へ送信すること、又は
第２のメディアサーバによってユーザプレーンデータを、メディアサーバＢを使用してＵＥ＿４へ送信することを含む。
【０２７３】
メディアサーバＢはＭＣＰＴＴシステム＿３に属する。
【０２７４】
ステップ１４０９：第１のメディアサーバが、ユーザプレーンデータをＵＥ＿１及びＵＥ＿２へ送信する。
【０２７５】
任意選択で、第１のメディアサーバによってユーザプレーンデータをＵＥ＿１へ送信することは、具体的には、
第１のメディアサーバによってユーザプレーンデータを直接ＵＥ＿１へ送信すること、又は
第１のメディアサーバによってユーザプレーンデータを、メディアサーバＡを使用してＵＥ＿１へ送信することを含む。
【０２７６】
メディアサーバＡはＭＣＰＴＴシステム＿４に属する。
【０２７７】
図１１に示された実施例に基づいたこの実施例では、ＵＥが属するＭＣＰＴＴシステムが、ＵＥが属するＭＣＰＴＴグループが属するＭＣＰＴＴシステムと異なる場合、ＵＥが属するＭＣＰＴＴシステム内のフロア制御サーバ及びメディアサーバが、ＵＥのデータを別々に転送し、それにより、ＵＥが属するＭＣＰＴＴシステムは、ＵＥの状態を送受信するデータを得ることができる。
【０２７８】
図１５は、本発明による、複数のＭＣＰＴＴシステムに関するフロア制御のための方法の実施例１３の流れ図である。この実施例は、図２に示されたアプリケーションシナリオに適用される。図１５に示されるように、この実施例は下記のステップを含み得る。
【０２７９】
ステップ１５０１：第２のフロア制御サーバが、ＵＥ＿３及びＵＥ＿４によって送信されたフロア要求メッセージを受信する。
【０２８０】
ＵＥ＿３の関連ユーザはＭＣＰＴＴ＿ｕｓｅｒ３であり、ＵＥ＿４の関連ユーザはＭＣＰＴＴ＿ｕｓｅｒ４である。ＭＣＰＴＴ＿ｕｓｅｒ３が属するＭＣＰＴＴシステムはＭＣＰＴＴシステム２であり、ＭＣＰＴＴ＿Ｕｓｅｒ４が属するＭＣＰＴＴシステムは、ＭＣＰＴＴシステム＿３である。
【０２８１】
任意選択で、第２のフロア制御サーバによって、ＵＥ＿４によって送信されたフロア要求メッセージを受信することは、具体的には、
第２のフロア制御サーバによって、ＵＥ＿４から直接第２のフロア制御サーバへ送信されるフロア要求メッセージを受信すること、又は
第２のフロア制御サーバによって、ＵＥ＿４からフロア制御サーバＢを使用して第２のフロア制御サーバへ送信されるフロア要求メッセージを受信することを含む。
【０２８２】
フロア制御サーバＢはＭＣＰＴＴシステム＿３に属する。
【０２８３】
ステップ１５０２：第２のフロア制御サーバが、ＵＥ＿３及びＵＥ＿４によって送信されたフロア要求メッセージと、フロア制御ポリシーとに従って第１のメッセージを決定する。
【０２８４】
ステップ１５０２はステップ１２０２と同様であり、詳細について本明細書では説明されないことに留意されたい。
【０２８５】
ステップ１５０３：第１のフロア制御サーバが、第２のフロア制御サーバによって送信された第１のメッセージと、ＵＥ＿１によって送信されたフロア要求メッセージとを受信する。
【０２８６】
ＵＥ＿１の関連ユーザはＭＣＰＴＴ＿ｕｓｅｒ１であり、ＭＣＰＴＴ＿ｕｓｅｒ１が属するＭＣＰＴＴシステムはＭＣＰＴＴシステム＿４である。
【０２８７】
任意選択で、第１のフロア制御サーバによって、ＵＥ＿１によって送信されたフロア要求メッセージを受信することは、具体的には、
第１のフロア制御サーバによって、ＵＥ＿１から直接第１のフロア制御サーバへ送信されるフロア要求メッセージを受信すること、又は
第１のフロア制御サーバによって、ＵＥ＿１からフロア制御サーバＡを使用して第１のフロア制御サーバへ送信されるフロア要求メッセージを受信することを含む。
【０２８８】
フロア制御サーバＡはＭＣＰＴＴシステム＿４に属する。
【０２８９】
ステップ１５０４：第１のフロア制御サーバが、第２のフロア制御サーバによって送信された第１のメッセージと、ＵＥ＿１によって送信されたフロア要求メッセージと、フロア制御ポリシーとに従って、ＭＣＰＴＴシステム＿２に属するＭＣＰＴＴグループ内のＭＣＰＴＴ＿ｕｓｅｒ３がフロアを占有することを決定する。
【０２９０】
ステップ１５０４はステップ１２０４と同様であり、詳細について本明細書では説明されないことに留意されたい。
【０２９１】
ステップ１５０５：第１のフロア制御サーバが、第２のメッセージを第２のフロア制御サーバへ送信し、フロア応答メッセージをＵＥ＿１へ送信する。
【０２９２】
第２のメッセージは、ＭＣＰＴＴシステム＿２に属するＭＣＰＴＴグループ内のＭＣＰＴＴ＿ｕｓｅｒ３がフロアを占有することを示すために使用され、ＵＥ＿１へ送信されるフロア応答メッセージは、ＭＣＰＴＴ＿ｕｓｅｒ１のフロア占有が拒否されていることを示すために使用される。
【０２９３】
任意選択で、第１のフロア制御サーバによってフロア応答メッセージをＵＥ＿１へ送信することは、具体的には、
第１のフロア制御サーバによってフロア応答メッセージを直接ＵＥ＿１へ送信すること、又は
第１のフロア制御サーバによってフロア応答メッセージを、フロア制御サーバＡを使用してＵＥ＿１へ送信することを含む。
【０２９４】
ステップ１５０６：第２のフロア制御サーバが、第２のメッセージに従って、ＭＣＰＴＴ＿ｕｓｅｒ３がフロアを占有することを決定し、フロア応答メッセージをＵＥ＿３及びＵＥ＿４へ送信する。
【０２９５】
任意選択で、第２のフロア制御サーバによってフロア応答メッセージをＵＥ＿４へ送信することは、具体的には、
第２のフロア制御サーバによってフロア応答メッセージを直接ＵＥ＿４へ送信すること、又は
第２のフロア制御サーバによってフロア応答メッセージを、フロア制御サーバＢを使用してＵＥ＿４へ送信することを含む。
【０２９６】
ステップ１５０７：第２のメディアサーバが、ＵＥ＿３によって送信されたユーザプレーンデータを受信する。
【０２９７】
ステップ１５０７はステップ１２０７と同様であり、詳細について本明細書では説明されないことに留意されたい。
【０２９８】
ステップ１５０８：第２のメディアサーバが、ユーザプレーンデータをＵＥ＿４及び第１のメディアサーバへ送信する。
【０２９９】
任意選択で、第２のメディアサーバによってユーザプレーンデータをＵＥ＿４へ送信することは、具体的には、
第２のメディアサーバによってユーザプレーンデータを直接ＵＥ＿４へ送信すること、又は
第２のメディアサーバによってユーザプレーンデータを、メディアサーバＢを使用してＵＥ＿４へ送信することを含む。
【０３００】
メディアサーバＢはＭＣＰＴＴシステム＿３に属する。
【０３０１】
ステップ１５０９：第１のメディアサーバが、ユーザプレーンデータをＵＥ＿１及びＵＥ＿２へ送信する。
【０３０２】
任意選択で、第１のメディアサーバによってユーザプレーンデータをＵＥ＿１へ送信することは、具体的には、
第１のメディアサーバによってユーザプレーンデータを直接ＵＥ＿１へ送信すること、又は
第１のメディアサーバによってユーザプレーンデータを、メディアサーバＡを使用してＵＥ＿１へ送信することを含む。
【０３０３】
メディアサーバＡはＭＣＰＴＴシステム＿４に属する。
【０３０４】
図１２に示された実施例に基づいたこの実施例では、ＵＥが属するＭＣＰＴＴシステムが、ＵＥが属するＭＣＰＴＴグループが属するＭＣＰＴＴシステムと異なる場合、ＵＥが属するＭＣＰＴＴシステム内のフロア制御サーバ及びメディアサーバが、ＵＥのデータを別々に転送し、それにより、ＵＥが属するＭＣＰＴＴシステムは、ＵＥの状態を送受信するデータを得ることができる。
【０３０５】
図１６は、本発明による、複数のＭＣＰＴＴシステムに関するフロア制御のための方法の実施例１４の流れ図である。この実施例は、図２に示されたアプリケーションシナリオに適用される。図１６に示されるように、この実施例は下記のステップを含み得る。
【０３０６】
ステップ１６０１：第２のフロア制御サーバが、ＵＥ＿３及びＵＥ＿４によって第２のメディアサーバを使用して別個に送信されるフロア要求メッセージを受信する。
【０３０７】
第２のメディアサーバ及び第２のフロア制御サーバは、ＭＣＰＴＴシステム＿２に属する。ＵＥ＿３の関連ユーザはＭＣＰＴＴ＿Ｕｓｅｒ３であり、ＵＥ＿４の関連ユーザはＭＣＰＴＴ＿Ｕｓｅｒ４である。ＭＣＰＴＴ＿Ｕｓｅｒ３及びＭＣＰＴＴＵｓｅｒ＿４がそれぞれ属するＭＣＰＴＴグループは、ＭＣＰＴＴシステム＿２に属する。
【０３０８】
ステップ１６０２：第１のフロア制御サーバが、第２のフロア制御サーバによって送信される第１のメッセージと、ＵＥ＿１によって第１のメディアサーバを使用して送信されるフロア要求メッセージとを受信する。
【０３０９】
第１のメッセージは、ＵＥ＿３及びＵＥ＿４によって送信されたフロア要求メッセージに従って、第２のフロア制御サーバによって決定され得る。第１のメッセージは、ＭＣＰＴＴ＿Ｕｓｅｒ３及びＭＣＰＴＴ＿Ｕｓｅｒ４がそれぞれ属するＭＣＰＴＴグループのグループ情報を含むことができる。
【０３１０】
ＵＥ＿１の関連ユーザはＭＣＰＴＴ＿Ｕｓｅｒ１である。ＭＣＰＴＴ＿Ｕｓｅｒ１が属するＭＣＰＴＴグループは、ＭＣＰＴＴシステム＿１に属する。第１のフロア制御サーバ及び第１のメディアサーバは、ＭＣＰＴＴシステム＿１に属する。
【０３１１】
ステップ１６０３：第１のフロア制御サーバが、第２のフロア制御サーバによって送信された第１のメッセージと、ＵＥ＿１によって送信されたフロア要求メッセージと、フロア制御ポリシーとに従って、ＭＣＰＴＴシステム＿２に属する第１のＭＣＰＴＴグループ内のＭＣＰＴＴユーザがフロアを占有することを決定する。
【０３１２】
第１のＭＣＰＴＴグループは、ＭＣＰＴＴ＿Ｕｓｅｒ３が属するグループである。
【０３１３】
ステップ１６０３はステップ１１０３と同様であり、詳細について本明細書では説明されないことに留意されたい。
【０３１４】
ステップ１６０４：第１のフロア制御サーバが、第２のメッセージを第２のフロア制御サーバへ送信し、フロア応答メッセージを、第１のメディアサーバを使用して、別のＭＣＰＴＴグループ内のＭＣＰＴＴユーザへ送信し、それにより、複数のＭＣＰＴＴシステムが参加するグループ呼におけるユーザプレーンデータの伝送が実現される。
【０３１５】
第２のメッセージは、ＭＣＰＴＴシステム＿２に属する第１のＭＣＰＴＴグループ内のＭＣＰＴＴユーザがフロアを占有することを示すために使用され、ＵＥ＿１へ送信されるフロア応答メッセージは、ＭＣＰＴＴ＿ｕｓｅｒ１のフロア占有が拒否されていることを示すために使用される。
【０３１６】
ステップ１６０５：第２のフロア制御サーバが、第２のメッセージ及びフロア制御ポリシーに従って、ＭＣＰＴＴ＿ｕｓｅｒ３がフロアを占有することを決定する。
【０３１７】
ステップ１６０５はステップ１１０５と同様であり、詳細について本明細書では説明されないことに留意されたい。
【０３１８】
ステップ１６０６：第２のフロア制御サーバが、フロア応答メッセージを、第２のメディアサーバを使用してＵＥ＿３及びＵＥ＿４へ送信する。
【０３１９】
ＵＥ＿３へ送信されるフロア応答メッセージは、ＭＣＰＴＴ＿ｕｓｅｒ３がフロアを占有することを示すために使用され、ＵＥ＿４へ送信されるフロア応答メッセージは、ＭＣＰＴＴ＿ｕｓｅｒ４のフロア占有が拒否されていることを示すために使用される。
【０３２０】
ステップ１６０７：第２のメディアサーバが、ＵＥ＿３によって送信されたユーザプレーンデータを受信する。
【０３２１】
ステップ１６０８：第２のメディアサーバが、ユーザプレーンデータをＵＥ＿４及び第１のメディアサーバへ送信する。
【０３２２】
ステップ１６０９：第１のメディアサーバが、ユーザプレーンデータをＵＥ＿１へ送信する。
【０３２３】
この実施例と図１１に示された実施例との相違点は、この実施例ではＭＣＰＴＴシステム内のメディアサーバが、フロア制御サーバとＵＥの間のすべての相互作用に必要とされることにある。その実現原理及び効果は同様であり、本明細書では説明されない。
【０３２４】
図１７は、本発明による、複数のＭＣＰＴＴシステムに関するフロア制御のための方法の実施例１５の流れ図である。この実施例は、図２に示されたアプリケーションシナリオに適用される。図１７に示されるように、この実施例は下記のステップを含み得る。
【０３２５】
ステップ１７０１：第２のメディアサーバが、ＵＥ＿３及びＵＥ＿４によって送信されるフロア要求メッセージを受信する。
【０３２６】
ＵＥ＿３の関連ユーザはＭＣＰＴＴ＿Ｕｓｅｒ３であり、ＵＥ＿４の関連ユーザはＭＣＰＴＴ＿Ｕｓｅｒ４である。ＭＣＰＴＴ＿Ｕｓｅｒ３及びＭＣＰＴＴＵｓｅｒ＿４がそれぞれ属するＭＣＰＴＴグループは、ＭＣＰＴＴシステム＿２に属する。第２のメディアサーバはＭＣＰＴＴシステム＿２に属する。
【０３２７】
ステップ１７０２：第１のメディアサーバが、ＵＥ＿１によって送信されたフロア要求メッセージを受信する。
【０３２８】
ＵＥ＿１の関連ユーザはＭＣＰＴＴ＿Ｕｓｅｒ１である。ＭＣＰＴＴ＿Ｕｓｅｒ１が属するＭＣＰＴＴグループは、ＭＣＰＴＴシステム＿１に属する。第１のフロア制御サーバは、ＭＣＰＴＴシステム＿１に属する。
【０３２９】
ステップ１７０３：第１のフロア制御サーバが、第１のメディアサーバ及び第２のメディアサーバによって送信された第１のメッセージを受信する。
【０３３０】
第１のフロア制御サーバは、ＭＣＰＴＴシステム＿１に属する。
【０３３１】
第１のメディアサーバによって送信された第１のメッセージは、ＵＥ＿１によって送信されたフロア要求メッセージに従って、第１のメディアサーバによって獲得されることができる。第１のメッセージは、ＭＣＰＴＴ＿Ｕｓｅｒ１のユーザ情報を含み得る。第２のメディアサーバによって送信された２つの第１のメッセージはそれぞれ、ＵＥ＿３及びＵＥ＿４によって送信されたフロア要求メッセージに従って、第２のメディアサーバによって獲得されることができる。一方のメッセージはＭＣＰＴＴ＿Ｕｓｅｒ３のユーザ情報を含むことができ、他方のメッセージはＭＣＰＴＴ＿Ｕｓｅｒ４のユーザ情報を含むことができる。
【０３３２】
ステップ１７０４：第１のフロア制御サーバが、第１のメディアサーバ及び第２のメディアサーバによって送信された第１のメッセージと、フロア制御ポリシーとに従って、ＭＣＰＴＴシステム＿２に属するＭＣＰＴＴグループ内のＭＣＰＴＴ＿ｕｓｅｒ３がフロアを占有することを決定する。
【０３３３】
任意選択で、ステップ１７０４におけるフロア制御ポリシーは、ユーザ優先度に基づいたポリシーとすることができる。
【０３３４】
ステップ１７０５：第１のフロア制御サーバが、第２のメッセージを第２のフロア制御サーバへ送信し、第３のメッセージを第１のメディアサーバへ送信する。
【０３３５】
第２のメッセージは、ＭＣＰＴＴシステム＿２に属するＭＣＰＴＴグループ内のＭＣＰＴＴ＿ｕｓｅｒ３がフロアを占有することを示すために使用され、第３のメッセージは、ＭＣＰＴＴシステム＿１に属するＭＣＰＴＴグループ内のＭＣＰＴＴユーザのフロア占有が拒否されていることを示すために使用される。
【０３３６】
ステップ１７０６：第１のメディアサーバが、フロア応答メッセージをＵＥ＿１へ第３のメッセージに従って送信する。
【０３３７】
ＵＥ＿１へ送信されるフロア応答メッセージは、ＭＣＰＴＴ＿Ｕｓｅｒ１のフロア占有が拒否されていることを示すために使用される。
【０３３８】
ステップ１７０７：第２のメディアサーバが、フロア応答メッセージをＵＥ＿３及びＵＥ＿４へ第２のメッセージに従って送信する。
【０３３９】
ＵＥ＿３へ送信されるフロア応答メッセージは、ＭＣＰＴＴ＿Ｕｓｅｒ３がフロアを占有することを示すために使用され、ＵＥ＿４へ送信されるフロア応答メッセージは、ＭＣＰＴＴ＿Ｕｓｅｒ４のフロア占有が拒否されていることを示すために使用される。
【０３４０】
ステップ１７０７とステップ１７０６との間に順序はないことに留意されたい。
【０３４１】
ステップ１７０８：第２のメディアサーバが、ＵＥ＿３によって送信されたユーザプレーンデータを受信する。
【０３４２】
ステップ１７０９：第２のメディアサーバが、ユーザプレーンデータをＵＥ＿４及び第１のメディアサーバへ送信する。
【０３４３】
ステップ１７１０：第１のメディアサーバが、ユーザプレーンデータをＵＥ＿１へ送信する。
【０３４４】
この実施例では、第１のフロア制御サーバが、第２のメディアサーバ及び第１のメディアサーバによって送信された第１のメッセージと、フロア制御ポリシーとに従って、ＭＣＰＴＴシステム＿２に属するＭＣＰＴＴグループ内のＭＣＰＴＴ＿Ｕｓｅｒ３がフロアを占有することを決定する。第２のフロア制御サーバは、第１のフロア制御サーバによって送信された、かつＭＣＰＴＴシステム＿２に属するＭＣＰＴＴグループ内のＭＣＰＴＴ＿Ｕｓｅｒ３がフロアを占有することを示すために使用される、第２のメッセージを受信すると共に、第２のメッセージに従って、ＭＣＰＴＴ＿Ｕｓｅｒ３がフロアを占有することを決定し、それにより、複数のＭＣＰＴＴシステムが参加するグループセッションにおけるフロア制御が実現される。更に、第２のメディアサーバが、ＵＥ＿３によって送信されたユーザプレーンデータを受信し、ユーザプレーンデータを第１のメディアサーバへ送信し、第１のメディアサーバは、ユーザプレーンデータをＵＥ＿１へ転送し、それにより、複数のＭＣＰＴＴシステムが参加するグループ呼におけるユーザプレーンデータの伝送が実現される。
【０３４５】
図１８は、本発明による、複数のＭＣＰＴＴシステムに関するフロア制御のための装置の実施例１の概略構成図である。装置は、第１のフロア制御サーバである。図１８に示されるように、この実施例での装置は、受信モジュール１８０１、処理モジュール１８０２、及び送信モジュール１８０３を含み得る。受信モジュール１８０１は、Ｎ個のネットワーク要素デバイスによって送信された第１のメッセージを受信するように構成される。第１のメッセージは、フロアを第１のフロア制御サーバに要求するために使用され、Ｎは１以上の整数であり、Ｎ個のネットワーク要素デバイスはそれぞれ、Ｎ個のＭＣＰＴＴシステムに属する。処理モジュール１８０２は、第１のメッセージ及びフロア制御ポリシーに従って、第１のＭＣＰＴＴシステムに属するＭＣＰＴＴグループ内のＭＣＰＴＴユーザがフロアを占有することを決定するように構成される。第１のＭＣＰＴＴシステムは、第１のネットワーク要素デバイスが属するＭＣＰＴＴシステムであり、第１のネットワーク要素デバイスは、Ｎ個のネットワーク要素デバイス中のネットワーク要素デバイスである。送信モジュール１８０３は、第２のメッセージを第１のネットワーク要素デバイスへ送信するように構成される。第２のメッセージは、第１のＭＣＰＴＴシステムに属するＭＣＰＴＴグループ内のＭＣＰＴＴユーザがフロアを占有することを示すために使用される。
【０３４６】
任意選択で、送信モジュール１８０３は更に、第３のメッセージを別のネットワーク要素デバイスへ送信するように構成される。別のネットワーク要素は、Ｎ個のネットワーク要素デバイス中の、第１のネットワーク要素デバイスを除いたデバイスである。
【０３４７】
第３のメッセージは、第３のＭＣＰＴＴシステムに属するＭＣＰＴＴグループ内のＭＣＰＴＴユーザのフロア占有が拒否されていること、又は第３のメッセージがキュー情報を含むことを示すために使用される。キュー情報は、第３のＭＣＰＴＴシステムに属するＭＣＰＴＴグループ内のＭＣＰＴＴユーザによって占有されたフロアのキューイングを示すために使用され、第３のＭＣＰＴＴシステムは、別のネットワーク要素デバイスが属するＭＣＰＴＴグループである。
【０３４８】
任意選択で、ネットワーク要素デバイスは、フロア制御サーバ又はメディアサーバである。
【０３４９】
任意選択で、第１のネットワーク要素デバイスによって送信される第１のメッセージは３つの情況を含むことができ、これらはそれぞれ３つの実現方式に対応する。
【０３５０】
方式１：第１のネットワーク要素デバイスによって送信される第１のメッセージは、少なくとも１つのＭＣＰＴＴグループのグループ情報を含み、少なくとも１つのＭＣＰＴＴグループは第１のＭＣＰＴＴグループを含み、
それに応じて、処理モジュール１８０２は、具体的には、第１のメッセージ及びフロア制御ポリシーに従って、第１のＭＣＰＴＴシステムに属する第１のＭＣＰＴＴグループ内のＭＣＰＴＴユーザがフロアを占有することを決定するように構成され、
第２のメッセージは、具体的には、第１のＭＣＰＴＴシステムに属する第１のＭＣＰＴＴグループ内のＭＣＰＴＴユーザがフロアを占有することを示すために使用される。
【０３５１】
任意選択で、グループ情報は次の、グループ識別子又はグループ優先度、のうちの少なくとも１つを含む。
【０３５２】
方式２：第１のネットワーク要素デバイスによって送信される第１のメッセージは、第１のＭＣＰＴＴユーザのユーザ情報を含み、
それに応じて、処理モジュール１８０２は、具体的には、第１のメッセージ及びフロア制御ポリシーに従って、第１のＭＣＰＴＴシステムに属するＭＣＰＴＴグループ内の第１のＭＣＰＴＴユーザがフロアを占有することを決定するように構成され、
第２のメッセージは、具体的には、第１のＭＣＰＴＴシステムに属するＭＣＰＴＴグループ内の第１のＭＣＰＴＴユーザがフロアを占有することを示すために使用される。
【０３５３】
任意選択で、ユーザ情報は次の、ユーザ識別子、ユーザロール、又はユーザ優先度情報、のうちの少なくとも１つを含む。
【０３５４】
方式３：第１のネットワーク要素デバイスによって送信される第１のメッセージは、第１のＭＣＰＴＴグループのグループ情報を含み、
それに応じて、処理モジュール１８０２は、具体的には、第１のメッセージ及びフロア制御ポリシーに従って、第１のＭＣＰＴＴシステムに属する第１のＭＣＰＴＴグループ内のＭＣＰＴＴユーザがフロアを占有することを決定するように構成され、
第２のメッセージは、具体的には、第１のＭＣＰＴＴシステムに属する第１のＭＣＰＴＴグループ内のＭＣＰＴＴユーザがフロアを占有することを示すために使用される。
【０３５５】
この実施例での装置は、図７に示された方法実施例と、図１１から図１７に示された方法実施例とにおける第１のフロア制御サーバ側の技術的解決法を実行するように構成されることができる。その実現原理及び技法的効果は同様であり、本明細書では説明されない。
【０３５６】
複数のＭＣＰＴＴシステムに関するフロア制御のための装置の実施例２
この実施例での装置は、第１のネットワーク要素デバイスである。この実施例での装置の構成は、図１８に示される構成と同じであり、受信モジュール、処理モジュール、及び送信モジュールをやはり含む。受信モジュールは、Ｋ個のユーザ機器ＵＥによって送信されたフロア要求メッセージを受信するように構成され、ここでＫは１以上の整数である。第１のネットワーク要素デバイスは第１のＭＣＰＴＴシステムに属し、Ｋ人のＭＣＰＴＴユーザがそれぞれＫ個のＵＥと関連付けられており、Ｋ人のＭＣＰＴＴユーザがそれぞれ属するＭＣＰＴＴグループは第１のＭＣＰＴＴシステムに属する。送信モジュールは、第１のメッセージを第１のフロア制御サーバへフロア要求メッセージに従って送信するように構成され、第１のメッセージは、フロアを第１のフロア制御サーバに要求するために使用される。受信モジュールは更に、第１のフロア制御サーバによって送信された第２のメッセージを受信するように構成され、第２のメッセージは、第１のＭＣＰＴＴシステムに属するＭＣＰＴＴグループ内のＭＣＰＴＴユーザがフロアを占有することを示すために使用される。処理モジュールは、第２のメッセージに従って、第１のＭＣＰＴＴユーザがフロアを占有することを決定するように構成され、第１のＭＣＰＴＴユーザは第１のＵＥの関連ユーザであり、第１のＵＥはＮ個のＵＥ中のＵＥである。送信モジュールは更に、フロア応答メッセージを第１のＵＥへ送信するように構成され、フロア応答メッセージは、第１のＭＣＰＴＴユーザがフロアを占有することを示すために使用される。
【０３５７】
任意選択で、第１のネットワーク要素デバイスは、第２のフロア制御サーバ又はメディアサーバである。
【０３５８】
任意選択で、この実施例での装置は、下記の３つの方式で実現されることができる。
【０３５９】
方式１：第１のメッセージは、フロアを第１のネットワーク要素デバイスに要求するＫ個のＭＣＰＴＴユーザが属するＭＣＰＴＴグループのグループ情報を含み、第１のＭＣＰＴＴユーザは第１のＭＣＰＴＴグループに属し、
それに応じて、第２のメッセージは、具体的には、第１のＭＣＰＴＴシステムに属する第１のＭＣＰＴＴグループ内のＭＣＰＴＴユーザがフロアを占有することを示すために使用され、
処理モジュールは、具体的には、第２のメッセージ及びフロア制御ポリシーに従って、かつ第１のＭＣＰＴＴグループから、第１のＭＣＰＴＴユーザがフロアを占有することを決定するように構成される。
【０３６０】
任意選択で、グループ情報は次の、グループ識別子又はグループ優先度、のうちの少なくとも１つを含む。
【０３６１】
方式２：送信モジュールが第１のメッセージを第１のフロア制御サーバへ、フロア要求メッセージに従って送信することは、具体的には、
第１のメッセージを第１のフロア制御サーバへ、Ｋ個のＵＥによって送信されたフロア要求メッセージ、及びフロア制御ポリシーに従って送信することを含み、第１のメッセージは、フロアを第２のフロア制御サーバに要求するＫ人のＭＣＰＴＴユーザ中の第１のＭＣＰＴＴユーザのユーザ情報を含み、
それに応じて、第２のメッセージは、具体的には、第１のＭＣＰＴＴシステムに属するＭＣＰＴＴグループ内の第１のＭＣＰＴＴユーザがフロアを占有することを示すために使用される。
【０３６２】
任意選択で、ユーザ情報は次の、ユーザ識別子、ユーザロール、又はユーザ優先度情報、のうちの少なくとも１つを含む。
【０３６３】
方式３：送信モジュールが第１のメッセージを第１のフロア制御サーバへ、フロア要求メッセージに従って送信することは、具体的には、
第１のメッセージを第１のフロア制御サーバへ、フロア要求メッセージ及びフロア制御ポリシーに従って送信することを含み、第１のメッセージは、フロアを第２のフロア制御サーバに要求するＫ人のＭＣＰＴＴユーザがそれぞれ属するＭＣＰＴＴグループ中の第１のＭＣＰＴＴグループのグループ情報を含み、第１のＭＣＰＴＴユーザは第１のＭＣＰＴＴグループに属し、
それに応じて、第２のメッセージは、具体的には、第１のＭＣＰＴＴシステムに属する第１のＭＣＰＴＴグループ内のＭＣＰＴＴユーザがフロアを占有することを示すために使用され、
処理モジュールは、具体的には、第２のメッセージ及びフロア制御ポリシーに従って、かつ第１のＭＣＰＴＴグループから、第１のＭＣＰＴＴユーザがフロアを占有することを決定するように構成される。
【０３６４】
任意選択で、第１のＭＣＰＴＴユーザが属するＭＣＰＴＴシステムが第１のＭＣＰＴＴシステムと異なる場合、受信モジュールが、第１のＵＥによって送信されたフロア要求メッセージを受信することは、具体的には、
第１のＵＥによって直接第１のネットワーク要素デバイスへ送信されるフロア要求メッセージを受信すること、又は、第１のＵＥによって第２のネットワーク要素デバイスを使用して第１のネットワーク要素デバイスへ送信されるフロア要求メッセージを受信することを含む。
【０３６５】
第２のネットワーク要素デバイスは、第１のＭＣＰＴＴユーザが属するＭＣＰＴＴシステム内のネットワーク要素デバイスである。
【０３６６】
任意選択で、第１のネットワーク要素デバイスが第２のフロア制御サーバである場合、受信モジュールが、第１のＵＥによって送信されたフロア要求メッセージを受信することは、具体的には、
第１のＵＥによって直接第２のフロア制御サーバへ送信されるフロア要求メッセージを受信すること、又は、第１のＵＥによってメディアサーバを使用して第２のフロア制御サーバへ送信されるフロア要求メッセージを受信することを含む。
【０３６７】
この実施例での装置は、図８に示された方法実施例と、図１１から図１７に示された方法実施例とにおける第１のネットワーク要素デバイス側の技術的解決法を実行するように構成されることができる。その実現原理及び技法的効果は同様であり、本明細書では説明されない。
【０３６８】
図１９は、本発明による、複数のＭＣＰＴＴシステムに関するフロア制御のための装置の実施例３の概略構成図である。装置は、第２のメディアサーバである。図１９に示されるように、この実施例での装置は、受信モジュール１９０１及び転送モジュール１９０２を含み得る。受信モジュール１９０１は、第１のＵＥよって送信されたユーザプレーンデータを受信するように構成される。転送モジュール１９０２は、ユーザプレーンデータを第１のメディアサーバへ送信するように構成され、それにより、第１のメディアサーバはユーザプレーンデータを転送する。
【０３６９】
第１のフロア制御サーバが属するＭＣＰＴＴシステムは、第１のメディアサーバを含む。
【０３７０】
この実施例での装置は、図９に示された方法実施例と、図１１から図１７に示された方法実施例とにおける第２のメディアサーバ側の技術的解決法を実行するように構成されることができる。その実現原理及び技法的効果は同様であり、本明細書では説明されない。
【０３７１】
複数のＭＣＰＴＴシステムに関するフロア制御のための装置の実施例４
この実施例での装置は、第１のメディアサーバである。この実施例での装置の構成は、図１９に示される構成と同じであり、受信モジュール及び転送モジュールをやはり含む。受信モジュールは、第２のメディアサーバによって送信された第１のＵＥのユーザプレーンデータを受信するように構成される。転送モジュールは、ユーザプレーンデータを転送するように構成される。
【０３７２】
任意選択で、転送モジュールは、具体的にはユーザプレーンデータを第２のＵＥへ送信するように構成される。第２のＵＥの関連ユーザは、第１のフロア制御サーバが属するＭＣＰＴＴシステムに属しているＭＣＰＴＴグループ内のＭＣＰＴＴユーザである。
【０３７３】
任意選択で、第２のＵＥが属するＭＣＰＴＴシステムが、第１のフロア制御サーバが属するＭＣＰＴＴシステムと異なる場合、転送モジュールは、具体的には、
ユーザプレーンデータを直接第２のＵＥへ送信するように、又は
ユーザプレーンデータを、第３のメディアサーバを使用して第２のＵＥへ送信するように構成される。
【０３７４】
第２のＵＥが属するＭＣＰＴＴシステムは、第３のメディアサーバを含む。
【０３７５】
任意選択で、転送モジュールは更に、ユーザプレーンデータを第４のメディアサーバへ送信するように構成され、それにより、第４のメディアサーバはユーザプレーンデータを第３のＵＥへ転送し、ここで
第３のＵＥの関連ユーザは、第２のＭＣＰＴＴシステムに属するＭＣＰＴＴグループ内のＭＣＰＴＴユーザであり、第２のＭＣＰＴＴシステムは第４のメディアサーバを含む。
【０３７６】
この実施例での装置は、図１０に示された方法実施例と、図１１から図１７に示された方法実施例とにおける第１のメディアサーバ側の技術的解決法を実行するように構成されることができる。その実現原理及び技法的効果は同様であり、本明細書では説明されない。
【０３７７】
複数のＭＣＰＴＴシステムに関するフロア制御のための装置の実施例５
この実施例での装置は、第１のフロア制御サーバである。この実施例での装置の構成は、図１８に示される構成と同じであり、受信モジュール、処理モジュール、及び送信モジュールをやはり含む。受信モジュールは、Ｎ個のネットワーク要素デバイスによって送信された第１のメッセージを受信するように構成される。第１のメッセージは、フロアをネットワーク要素デバイスに要求するＭＣＰＴＴユーザのユーザ情報を含み、第１のメッセージは、フロアを第１のフロア制御サーバに要求するために使用され、Ｎは１以上の整数であり、Ｎ個のネットワーク要素デバイスはそれぞれ、Ｎ個のＭＣＰＴＴシステムに属する。処理モジュールは、第１のメッセージ及びフロア制御ポリシーに従って、第１のＭＣＰＴＴシステムに属する第１のＭＣＰＴＴユーザがフロアを占有することを決定するように構成される。第１のＭＣＰＴＴシステムは、第１のネットワーク要素デバイスが属するＭＣＰＴＴシステムであり、第１のネットワーク要素デバイスは、Ｎ個のネットワーク要素デバイス中のネットワーク要素デバイスである。送信モジュールは、第２のメッセージを第１のネットワーク要素デバイスへ送信するように構成される。第２のメッセージは、第１のＭＣＰＴＴシステムに属する第１のＭＣＰＴＴユーザがフロアを占有することを示すために使用される。
【０３７８】
任意選択で、ユーザ情報は次の、ユーザ識別子、ユーザロール、又はユーザ優先度情報、のうちの少なくとも１つを含む。
【０３７９】
この実施例での装置は、図３に示された方法実施例と、図６に示された方法実施例とにおける第１のフロア制御サーバ側の技術的解決法を実行するように構成されることができる。その実現原理及び技法的効果は同様であり、本明細書では説明されない。
【０３８０】
複数のＭＣＰＴＴシステムに関するフロア制御のための装置の実施例６
この実施例での装置は、第２のメディアサーバである。この実施例での装置の構成は、図１９に示される構成と同じであり、受信モジュール及び転送モジュールをやはり含む。受信モジュールは、第１のＵＥによって送信されたユーザプレーンデータを受信するように構成される。転送モジュールは、ユーザプレーンデータを第１のメディアサーバへ送信するように構成され、それにより、第１のメディアサーバはユーザプレーンデータを転送する。
【０３８１】
第１のフロア制御サーバが属するＭＣＰＴＴシステムは、第１のメディアサーバを含む。
【０３８２】
この実施例での装置は、図４に示された方法実施例と、図６に示された方法実施例とにおける第２のメディアサーバ側の技術的解決法を実行するように構成されることができる。その実現原理及び技法的効果は同様であり、本明細書では説明されない。
【０３８３】
複数のＭＣＰＴＴシステムに関するフロア制御のための装置の実施例７
この実施例での装置は、第１のメディアサーバである。この実施例での装置の構成は、図１９に示される構成と同じであり、受信モジュール及び転送モジュールをやはり含む。受信モジュールは、第２のメディアサーバによって送信された第１のＵＥのユーザプレーンデータを受信するように構成される。転送モジュールは、ユーザプレーンデータを転送するように構成される。
【０３８４】
任意選択で、転送モジュールは、具体的にはユーザプレーンデータを第２のＵＥへ送信するように構成される。第２のＵＥの関連ユーザは、第１のフロア制御サーバが属するＭＣＰＴＴシステムに属しているＭＣＰＴＴユーザである。
【０３８５】
任意選択で、転送モジュールは更に、ユーザプレーンデータを第３のメディアサーバへ送信するように構成され、それにより、第３のメディアサーバはユーザプレーンデータを第３のＵＥに転送する。
【０３８６】
第３のＵＥの関連ユーザは、第２のＭＣＰＴＴシステムに属するＭＣＰＴＴユーザであり、第２のＭＣＰＴＴシステムは第３のメディアサーバを含む。
【０３８７】
この実施例での装置は、図５に示された方法実施例と、図６に示された方法実施例とにおける第１のメディアサーバ側の技術的解決法を実行するように構成されることができる。その実現原理及び技法的効果は同様であり、本明細書では説明されない。
【０３８８】
本発明は更に、複数のＭＣＰＴＴシステムに関するフロア制御のためのシステムを提供する。システムは、複数のＭＣＰＴＴシステムに関するフロア制御のための装置の実施例１による第１のフロア制御サーバと、複数のＭＣＰＴＴシステムに関するフロア制御のための装置の実施例２による第１のネットワーク要素デバイスとを含む。
【０３８９】
任意選択で、この実施例でのシステムは更に、複数のＭＣＰＴＴシステムに関するフロア制御のための装置の実施例３による第２のメディアサーバと、複数のＭＣＰＴＴシステムに関するフロア制御のための装置の実施例４による第１のメディアサーバとを含み得る。
【０３９０】
この実施例での装置は、図７から図１７に示された方法実施例の技術的解決法を実行するように構成されることができる。その実現原理及び技法的効果は同様であり、本明細書では説明されない。
【０３９１】
本発明は更に、複数のＭＣＰＴＴシステムに関するフロア制御のためのシステムを提供する。システムは、複数のＭＣＰＴＴシステムに関するフロア制御のための装置の実施例５による第１のフロア制御サーバと、複数のＭＣＰＴＴシステムに関するフロア制御のための装置の実施例６による第２のメディアサーバと、複数のＭＣＰＴＴシステムに関するフロア制御のための装置の実施例７による第１のメディアサーバとを含む。
【０３９２】
この実施例での装置は、図３から図６に示された方法実施例の技術的解決法を実行するように構成されることができる。その実現原理及び技法的効果は同様であり、本明細書では説明されない。
【０３９３】
図２０は、本発明による、複数のＭＣＰＴＴシステムに関するフロア制御のための装置の実施例８の概略構成図である。装置は、第１のフロア制御サーバである。図２０に示されるように、この実施例での装置は、受信機２００１、プロセッサ２００２、及び送信機２００３を含み得る。受信機２００１は、Ｎ個のネットワーク要素デバイスによって送信された第１のメッセージを受信するように構成される。第１のメッセージは、フロアを第１のフロア制御サーバに要求するために使用され、Ｎは１以上の整数であり、Ｎ個のネットワーク要素デバイスはそれぞれ、Ｎ個のＭＣＰＴＴシステムに属する。プロセッサ２００２は、第１のメッセージ及びフロア制御ポリシーに従って、第１のＭＣＰＴＴシステムに属するＭＣＰＴＴグループ内のＭＣＰＴＴユーザがフロアを占有することを決定するように構成される。第１のＭＣＰＴＴシステムは、第１のネットワーク要素デバイスが属するＭＣＰＴＴシステムであり、第１のネットワーク要素デバイスは、Ｎ個のネットワーク要素デバイス中のネットワーク要素デバイスである。送信機２００３は、第２のメッセージを第１のネットワーク要素デバイスへ送信するように構成される。第２のメッセージは、第１のＭＣＰＴＴシステムに属するＭＣＰＴＴグループ内のＭＣＰＴＴユーザがフロアを占有することを示すために使用される。
【０３９４】
任意選択で、送信機２００３は更に、第３のメッセージを別のネットワーク要素デバイスへ送信するように構成される。別のネットワーク要素は、Ｎ個のネットワーク要素デバイス中の、第１のネットワーク要素デバイスを除いたデバイスである。
【０３９５】
第３のメッセージは、第３のＭＣＰＴＴシステムに属するＭＣＰＴＴグループ内のＭＣＰＴＴユーザのフロア占有が拒否されていること、又は第３のメッセージがキュー情報を含むことを示すために使用される。キュー情報は、第３のＭＣＰＴＴシステムに属するＭＣＰＴＴグループ内のＭＣＰＴＴユーザによって占有されたフロアのキューイングを示すために使用され、第３のＭＣＰＴＴシステムは、別のネットワーク要素デバイスが属するＭＣＰＴＴグループである。
【０３９６】
任意選択で、ネットワーク要素デバイスは、フロア制御サーバ又はメディアサーバである。
【０３９７】
任意選択で、第１のネットワーク要素デバイスによって送信される第１のメッセージは３つの情況を含むことができ、これらはそれぞれ３つの実現方式に対応する。
【０３９８】
方式１：第１のネットワーク要素デバイスによって送信される第１のメッセージは、少なくとも１つのＭＣＰＴＴグループのグループ情報を含み、少なくとも１つのＭＣＰＴＴグループは第１のＭＣＰＴＴグループを含み、
それに応じて、プロセッサ２００２は、具体的には、第１のメッセージ及びフロア制御ポリシーに従って、第１のＭＣＰＴＴシステムに属する第１のＭＣＰＴＴグループ内のＭＣＰＴＴユーザがフロアを占有することを決定するように構成され、
第２のメッセージは、具体的には、第１のＭＣＰＴＴシステムに属する第１のＭＣＰＴＴグループ内のＭＣＰＴＴユーザがフロアを占有することを示すために使用される。
【０３９９】
任意選択で、グループ情報は次の、グループ識別子又はグループ優先度、のうちの少なくとも１つを含む。
【０４００】
方式２：第１のネットワーク要素デバイスによって送信される第１のメッセージは、第１のＭＣＰＴＴユーザのユーザ情報を含み、
それに応じて、プロセッサ２００２は、具体的には、第１のメッセージ及びフロア制御ポリシーに従って、第１のＭＣＰＴＴシステムに属するＭＣＰＴＴグループ内の第１のＭＣＰＴＴユーザがフロアを占有することを決定するように構成され、
第２のメッセージは、具体的には、第１のＭＣＰＴＴシステムに属するＭＣＰＴＴグループ内の第１のＭＣＰＴＴユーザがフロアを占有することを示すために使用される。
【０４０１】
任意選択で、ユーザ情報は次の、ユーザ識別子、ユーザロール、又はユーザ優先度情報、のうちの少なくとも１つを含む。
【０４０２】
方式３：第１のネットワーク要素デバイスによって送信される第１のメッセージは、第１のＭＣＰＴＴグループのグループ情報を含み、
それに応じて、プロセッサ２００２は、具体的には、第１のメッセージ及びフロア制御ポリシーに従って、第１のＭＣＰＴＴシステムに属する第１のＭＣＰＴＴグループ内のＭＣＰＴＴユーザがフロアを占有することを決定するように構成され、
第２のメッセージは、具体的には、第１のＭＣＰＴＴシステムに属する第１のＭＣＰＴＴグループ内のＭＣＰＴＴユーザがフロアを占有することを示すために使用される。
【０４０３】
この実施例での装置は、図７に示された方法実施例と、図１１から図１７に示された方法実施例とにおける第１のフロア制御サーバ側の技術的解決法を実行するように構成されることができる。その実現原理及び技法的効果は同様であり、本明細書では説明されない。
【０４０４】
複数のＭＣＰＴＴシステムに関するフロア制御のための装置の実施例９
この実施例での装置は、第１のネットワーク要素デバイスである。この実施例での装置の構成は、図２０に示される構成と同じであり、受信機、プロセッサ、及び送信機をやはり含む。受信機は、Ｋ個のユーザ機器ＵＥによって送信されたフロア要求メッセージを受信するように構成され、ここでＫは１以上の整数である。第１のネットワーク要素デバイスは第１のＭＣＰＴＴシステムに属し、Ｋ人のＭＣＰＴＴユーザがそれぞれＫ個のＵＥと関連付けられており、Ｋ人のＭＣＰＴＴユーザがそれぞれ属するＭＣＰＴＴグループは第１のＭＣＰＴＴシステムに属する。送信機は、第１のメッセージを第１のフロア制御サーバへフロア要求メッセージに従って送信するように構成され、第１のメッセージは、フロアを第１のフロア制御サーバに要求するために使用される。受信機は更に、第１のフロア制御サーバによって送信された第２のメッセージを受信するように構成され、第２のメッセージは、第１のＭＣＰＴＴシステムに属するＭＣＰＴＴグループ内のＭＣＰＴＴユーザがフロアを占有することを示すために使用される。プロセッサは、第２のメッセージに従って、第１のＭＣＰＴＴユーザがフロアを占有することを決定するように構成され、第１のＭＣＰＴＴユーザは第１のＵＥの関連ユーザであり、第１のＵＥはＮ個のＵＥ中のＵＥである。送信機は更に、フロア応答メッセージを第１のＵＥへ送信するように構成され、フロア応答メッセージは、第１のＭＣＰＴＴユーザがフロアを占有することを示すために使用される。
【０４０５】
任意選択で、第１のネットワーク要素デバイスは、第２のフロア制御サーバ又はメディアサーバである。
【０４０６】
任意選択で、この実施例での装置は、下記の３つの方式で実現されることができる。
【０４０７】
方式１：第１のメッセージは、フロアを第１のネットワーク要素デバイスに要求するＫ個のＭＣＰＴＴユーザが属するＭＣＰＴＴグループのグループ情報を含み、第１のＭＣＰＴＴユーザは第１のＭＣＰＴＴグループに属し、
それに応じて、第２のメッセージは、具体的には、第１のＭＣＰＴＴシステムに属する第１のＭＣＰＴＴグループ内のＭＣＰＴＴユーザがフロアを占有することを示すために使用され、
プロセッサは、具体的には、第２のメッセージ及びフロア制御ポリシーに従って、かつ第１のＭＣＰＴＴグループから、第１のＭＣＰＴＴユーザがフロアを占有することを決定するように構成される。
【０４０８】
任意選択で、グループ情報は次の、グループ識別子又はグループ優先度、のうちの少なくとも１つを含む。
【０４０９】
方式２：送信機が第１のメッセージを第１のフロア制御サーバへ、フロア要求メッセージに従って送信することは、具体的には、
第１のメッセージを第１のフロア制御サーバへ、Ｋ個のＵＥによって送信されたフロア要求メッセージ、及びフロア制御ポリシーに従って送信することを含み、第１のメッセージは、フロアを第２のフロア制御サーバに要求するＫ人のＭＣＰＴＴユーザ中の第１のＭＣＰＴＴユーザのユーザ情報を含み、
それに応じて、第２のメッセージは、具体的には、第１のＭＣＰＴＴシステムに属するＭＣＰＴＴグループ内の第１のＭＣＰＴＴユーザがフロアを占有することを示すために使用される。
【０４１０】
任意選択で、グループ情報は次の、ユーザ識別子、ユーザロール、又はユーザ優先度情報、のうちの少なくとも１つを含む。
【０４１１】
方式３：送信機が第１のメッセージを第１のフロア制御サーバへ、フロア要求メッセージに従って送信することは、具体的には、
第１のメッセージを第１のフロア制御サーバへ、フロア要求メッセージ及びフロア制御ポリシーに従って送信することを含み、第１のメッセージは、フロアを第２のフロア制御サーバに要求するＫ人のＭＣＰＴＴユーザがそれぞれ属するＭＣＰＴＴグループ中の第１のＭＣＰＴＴグループのグループ情報を含み、第１のＭＣＰＴＴユーザは第１のＭＣＰＴＴグループに属し、
それに応じて、第２のメッセージは、具体的には、第１のＭＣＰＴＴシステムに属する第１のＭＣＰＴＴグループ内のＭＣＰＴＴユーザがフロアを占有することを示すために使用され、
プロセッサは、具体的には、第２のメッセージ及びフロア制御ポリシーに従って、かつ第１のＭＣＰＴＴグループから、第１のＭＣＰＴＴユーザがフロアを占有することを決定するように構成される。
【０４１２】
任意選択で、第１のＭＣＰＴＴユーザが属するＭＣＰＴＴシステムが第１のＭＣＰＴＴシステムと異なる場合、受信機が、第１のＵＥによって送信されたフロア要求メッセージを受信することは、具体的には、
第１のＵＥによって直接第１のネットワーク要素デバイスへ送信されるフロア要求メッセージを受信すること、又は、第１のＵＥによって第２のネットワーク要素デバイスを使用して第１のネットワーク要素デバイスへ送信されるフロア要求メッセージを受信することを含む。
【０４１３】
第２のネットワーク要素デバイスは、第１のＭＣＰＴＴユーザが属するＭＣＰＴＴシステム内のネットワーク要素デバイスである。
【０４１４】
任意選択で、第１のネットワーク要素デバイスが第２のフロア制御サーバである場合、受信機が、第１のＵＥによって送信されたフロア要求メッセージを受信することは、具体的には、
第１のＵＥによって直接第２のフロア制御サーバへ送信されるフロア要求メッセージを受信すること、又は、第１のＵＥによってメディアサーバを使用して第２のフロア制御サーバへ送信されるフロア要求メッセージを受信することを含む。
【０４１５】
この実施例での装置は、図８に示された方法実施例と、図１１から図１７に示された方法実施例とにおける第１のネットワーク要素デバイス側の技術的解決法を実行するように構成されることができる。その実現原理及び技法的効果は同様であり、本明細書では説明されない。
【０４１６】
図２１は、本発明による、複数のＭＣＰＴＴシステムに関するフロア制御のための装置の実施例１０の概略構成図である。装置は、第２のメディアサーバである。図２１に示されるように、この実施例での装置は、受信機２１０１及び送信機２１０２を含み得る。受信機２１０１は、第１のＵＥよって送信されたユーザプレーンデータを受信するように構成される。送信機２１０２は、ユーザプレーンデータを第１のメディアサーバへ送信するように構成され、それにより、第１のメディアサーバはユーザプレーンデータを転送する。
【０４１７】
第１のフロア制御サーバが属するＭＣＰＴＴシステムは、第１のメディアサーバを含む。
【０４１８】
この実施例での装置は、図９に示された方法実施例と、図１１から図１７に示された方法実施例とにおける第２のメディアサーバ側の技術的解決法を実行するように構成されることができる。その実現原理及び技法的効果は同様であり、本明細書では説明されない。
【０４１９】
複数のＭＣＰＴＴシステムに関するフロア制御のための装置の実施例１１
この実施例での装置は、第１のメディアサーバである。この実施例での装置の構成は、図２１に示される構成と同じであり、受信機及び送信機をやはり含む。受信機は、第２のメディアサーバによって送信された第１のＵＥのユーザプレーンデータを受信するように構成される。送信機は、ユーザプレーンデータを転送するように構成される。
【０４２０】
任意選択で、送信機は、具体的には、ユーザプレーンデータを第２のＵＥへ送信するように構成される。第２のＵＥの関連ユーザは、第１のフロア制御サーバが属するＭＣＰＴＴシステムに属しているＭＣＰＴＴグループ内のＭＣＰＴＴユーザである。
【０４２１】
任意選択で、第２のＵＥが属するＭＣＰＴＴシステムが、第１のフロア制御サーバが属するＭＣＰＴＴシステムと異なる場合、送信機は、具体的には、
ユーザプレーンデータを直接第２のＵＥへ送信するように、又は
ユーザプレーンデータを、第３のメディアサーバを使用して第２のＵＥへ送信するように構成される。
【０４２２】
第２のＵＥが属するＭＣＰＴＴシステムは、第３のメディアサーバを含む。
【０４２３】
任意選択で、送信機は更に、ユーザプレーンデータを第４のメディアサーバへ送信するように構成され、それにより、第４のメディアサーバはユーザプレーンデータを第３のＵＥへ転送する。
【０４２４】
第３のＵＥの関連ユーザは、第２のＭＣＰＴＴシステムに属するＭＣＰＴＴグループ内のＭＣＰＴＴユーザであり、第２のＭＣＰＴＴシステムは第４のメディアサーバを含む。
【０４２５】
この実施例での装置は、図１０に示された方法実施例と、図１１から図１７に示された方法実施例とにおける第１のメディアサーバ側の技術的解決法を実行するように構成されることができる。その実現原理及び技法的効果は同様であり、本明細書では説明されない。
【０４２６】
複数のＭＣＰＴＴシステムに関するフロア制御のための装置の実施例１２
この実施例での装置は、第１のフロア制御サーバである。この実施例での装置の構成は、図２０に示される構成と同じであり、受信機、プロセッサ、及び送信機をやはり含む。受信機は、Ｎ個のネットワーク要素デバイスによって送信された第１のメッセージを受信するように構成される。第１のメッセージは、フロアをネットワーク要素デバイスに要求するＭＣＰＴＴユーザのユーザ情報を含み、第１のメッセージは、フロアを第１のフロア制御サーバに要求するために使用され、Ｎは１以上の整数であり、Ｎ個のネットワーク要素デバイスはそれぞれ、Ｎ個のＭＣＰＴＴシステムに属する。プロセッサは、第１のメッセージ及びフロア制御ポリシーに従って、第１のＭＣＰＴＴシステムに属する第１のＭＣＰＴＴユーザがフロアを占有することを決定するように構成される。第１のＭＣＰＴＴシステムは、第１のネットワーク要素デバイスが属するＭＣＰＴＴシステムであり、第１のネットワーク要素デバイスは、Ｎ個のネットワーク要素デバイス中のネットワーク要素デバイスである。送信機は、第２のメッセージを第１のネットワーク要素デバイスへ送信するように構成される。第２のメッセージは、第１のＭＣＰＴＴシステムに属する第１のＭＣＰＴＴユーザがフロアを占有することを示すために使用される。
【０４２７】
任意選択で、ユーザ情報は次の、ユーザ識別子、ユーザロール、又はユーザ優先度情報、のうちの少なくとも１つを含む。
【０４２８】
この実施例での装置は、図３に示された方法実施例と、図６に示された方法実施例とにおける第１のフロア制御サーバ側の技術的解決法を実行するように構成されることができる。その実現原理及び技法的効果は同様であり、本明細書では説明されない。
【０４２９】
複数のＭＣＰＴＴシステムに関するフロア制御のための装置の実施例１３
この実施例での装置は、第２のメディアサーバである。この実施例での装置の構成は、図２１に示される構成と同じであり、受信機及び送信機をやはり含む。受信機は、第１のＵＥによって送信されたユーザプレーンデータを受信するように構成される。送信機は、ユーザプレーンデータを第１のメディアサーバへ送信するように構成され、それにより、第１のメディアサーバはユーザプレーンデータを転送する。
【０４３０】
第１のフロア制御サーバが属するＭＣＰＴＴシステムは、第１のメディアサーバを含む。
【０４３１】
この実施例での装置は、図４に示された方法実施例と、図６に示された方法実施例とにおける第２のメディアサーバ側の技術的解決法を実行するように構成されることができる。その実現原理及び技法的効果は同様であり、本明細書では説明されない。
【０４３２】
複数のＭＣＰＴＴシステムに関するフロア制御のための装置の実施例１４
この実施例での装置は、第１のメディアサーバである。この実施例での装置の構成は、図２１に示される構成と同じであり、受信機及び送信機をやはり含む。受信機は、第２のメディアサーバによって送信された第１のＵＥのユーザプレーンデータを受信するように構成される。送信機は、ユーザプレーンデータを転送するように構成される。
【０４３３】
任意選択で、送信機は、具体的には、ユーザプレーンデータを第２のＵＥへ送信するように構成される。第２のＵＥの関連ユーザは、第１のフロア制御サーバが属するＭＣＰＴＴシステムに属しているＭＣＰＴＴユーザである。
【０４３４】
任意選択で、送信機は更に、ユーザプレーンデータを第３のメディアサーバへ送信するように構成され、それにより、第３のメディアサーバはユーザプレーンデータを第３のＵＥに転送する。
【０４３５】
第３のＵＥの関連ユーザは、第２のＭＣＰＴＴシステムに属するＭＣＰＴＴユーザであり、第２のＭＣＰＴＴシステムは第３のメディアサーバを含む。
【０４３６】
この実施例での装置は、図５に示された方法実施例と、図６に示された方法実施例とにおける第１のメディアサーバ側の技術的解決法を実行するように構成されることができる。その実現原理及び技法的効果は同様であり、本明細書では説明されない。
【０４３７】
当業者であれば、方法実施例のステップの全部又は一部が、関連するハードウェアに命令するプログラムによって実現され得ることが理解されよう。プログラムは、コンピュータ読み取り可能な記憶媒体に記憶されることができる。プログラムが走ると、方法実施例のステップが実行される。前述の記憶媒体は、ＲＯＭ、ＲＡＭ、磁気ディスク、又は光ディスクなどの、プログラムコードを記憶できる任意の媒体を含む。
【０４３８】
最後に、前述の実施例は、本発明の技術的解決法を説明するためのものにすぎず、本発明を限定するものではないことに留意されたい。本発明について、前述の実施例に関して詳細に説明したが、当業者には、前述の実施例において説明された技術的解決法になお修正を加えること、或いは、これらの一部又は全部の技法的特徴に対し等価置換を行うことが、本発明の実施例の技術的解決法の範囲から逸脱することなく可能であることが理解されよう。
【図１Ａ】
0006605633.tif 000002
【図１Ｂ】
0006605633.tif 000003
【図２】
0006605633.tif 000004
【図３】
0006605633.tif 000005
【図４】
0006605633.tif 000006
【図５】
0006605633.tif 000007
【図６】
0006605633.tif 000008
【図７】
0006605633.tif 000009
【図８】
0006605633.tif 000010
【図９】
0006605633.tif 000011
【図１０】
0006605633.tif 000012
【図１１】
0006605633.tif 000013
【図１２】
0006605633.tif 000014
【図１３】
0006605633.tif 000015
【図１４】
0006605633.tif 000016
【図１５】
0006605633.tif 000017
【図１６】
0006605633.tif 000018
【図１７】
0006605633.tif 000019
【図１８】
0006605633.tif 000020
【図１９】
0006605633.tif 000021
【図２０】
0006605633.tif 000022
【図２１】
0006605633.tif 000023